(57)【特許請求の範囲】
【請求項１】
ワイヤレス通信のための方法であって、
共有無線周波数スペクトルバンドの第１のチャネルにアクセスするための第１のリッスンビフォアトーク（ＬＢＴ）プロシージャに関連するコンテンションウィンドウサイズを決定することと、
前記第１のチャネルまたは前記共有無線周波数スペクトルバンドの第２のチャネルを使用して送信されることになるデータに関するサービス優先順位またはチャネルのタイプのうちの１つまたは複数を決定することと、ここにおいて、前記コンテンションウィンドウサイズは、前記第１のチャネルの前記サービス優先順位または前記チャネルのタイプと、前記第２のチャネルの前記サービス優先順位または前記チャネルのタイプとの組合せに少なくとも部分的に基づいて決定される、前記コンテンションウィンドウサイズは、より低いサービス優先順位を有するデータについてよりも、より高いサービス優先順位を有するデータについて、より短くなるように決定される、または、前記コンテンションウィンドウサイズは、共有チャネルを使用して送信されるデータについてよりも、制御チャネルを使用して送信されることになるデータについて、より短くなるように決定される、
前記第２のチャネルにアクセスするための第２のＬＢＴプロシージャに対して前記コンテンションウィンドウサイズを適用することと、
を備える、方法。
【請求項２】
前記コンテンションウィンドウサイズは、チャネルコンディション情報なしの共有チャネルデータについてよりも、チャネルコンディション情報を含む共有チャネルデータについて、より短くなるように決定される、請求項１に記載の方法。
【請求項３】
前記第１のチャネルを使用して送信されることになるデータに関する前記サービス優先順位または前記チャネルのタイプのうちの１つまたは複数は、前記第２のチャネルを使用して送信されることになるデータに関する前記サービス優先順位または前記チャネルのタイプとは異なると決定すること
をさらに備える、請求項１に記載の方法。
【請求項４】
前記第２のチャネルは、前記第１のチャネルに比べて、より低いサービス優先順位またはより低い優先順位のうちの１つまたは複数を有する、請求項１に記載の方法。
【請求項５】
前記コンテンションウィンドウサイズは、ＬＢＴプロシージャがそれに対して実施されることになる前記共有無線周波数スペクトルバンドにおける利用可能なチャネルの数に少なくとも部分的に基づいて決定される、請求項４に記載の方法。
【請求項６】
前記コンテンションウィンドウサイズは、異なるサービス優先順位、異なるチャネルのタイプ、またはチャネルの数についての事前構成されたコンテンションウィンドウパラメータに少なくとも部分的に基づいて決定される、請求項４に記載の方法。
【請求項７】
前記コンテンションウィンドウサイズは、アップリンクグラントにおいてユーザ装置（ＵＥ）にシグナリングされる、請求項４に記載の方法。
【請求項８】
基地局から１つまたは複数のユーザ装置（ＵＥ）へのダウンリンク送信のための前記第１のチャネルへのチャネルアクセスを得るために、前記第１のＬＢＴプロシージャを実施すること
をさらに備える、請求項１に記載の方法。
【請求項９】
ユーザ装置（ＵＥ）から受信側基地局へのアップリンク送信のための前記第１のチャネルへのチャネルアクセスを得るために、前記第１のＬＢＴプロシージャを実施すること  をさらに備える、請求項１に記載の方法。
【請求項１０】
前記第１のＬＢＴプロシージャを前記実施することは、前記第１のチャネルおよび前記第２のチャネルについて同じＬＢＴプロシージャを実施することを備える、請求項９に記載の方法。
【請求項１１】
前記第１のＬＢＴプロシージャを実施することは、
前記受信側基地局が前記第１のチャネルを予約していること、および少なくとも前記第２のチャネルは予約されていないことを決定すること
を備え、
前記方法は、前記第２のチャネルに対して前記第２のＬＢＴプロシージャを実施することをさらに備える、
請求項９に記載の方法。
【請求項１２】
前記第１のチャネルおよび前記第２のチャネルに対して実施するべきＬＢＴプロシージャのタイプは、アップリンクグラントにおいて前記ＵＥにシグナリングされる、請求項１１に記載の方法。
【請求項１３】
前記第１のチャネルおよび前記第２のチャネルに対して実施するべきＬＢＴプロシージャのタイプは、前記受信側基地局以外の１つまたは複数の基地局の構成に基づいて決定される、請求項１１に記載の方法。
【請求項１４】
ＬＢＴプロシージャは、各予約されたチャネルに対しては実施されない、請求項１１に記載の方法。
【請求項１５】
前記第１のＬＢＴプロシージャを実施することは、
前記受信側基地局が前記第１のチャネルおよび前記第２のチャネルを予約していることを決定すること
を備え、
前記方法は、前記第２のチャネルに対して前記第２のＬＢＴプロシージャを実施することをさらに備える、
請求項９に記載の方法。
【請求項１６】
前記第１のＬＢＴプロシージャについての前記コンテンションウィンドウサイズが、最小コンテンションウィンドウサイズに設定される、請求項１５に記載の方法。
【請求項１７】
ワイヤレス通信のための装置であって、
共有無線周波数スペクトルバンドの第１のチャネルにアクセスするための第１のリッスンビフォアトーク（ＬＢＴ）プロシージャに関連するコンテンションウィンドウサイズを決定するための手段と、
前記第１のチャネルまたは前記共有無線周波数スペクトルバンドの第２のチャネルを使用して送信されることになるデータに関するサービス優先順位またはチャネルのタイプのうちの１つまたは複数を決定するための手段と、ここにおいて、前記コンテンションウィンドウサイズは、前記第１のチャネルの前記サービス優先順位または前記チャネルのタイプと、前記第２のチャネルの前記サービス優先順位または前記チャネルのタイプとの組合せに少なくとも部分的に基づいて決定される、前記コンテンションウィンドウサイズは、より低いサービス優先順位を有するデータについてよりも、より高いサービス優先順位を有するデータについて、より短くなるように決定される、または、前記コンテンションウィンドウサイズは、共有チャネルを使用して送信されるデータについてよりも、制御チャネルを使用して送信されることになるデータについて、より短くなるように決定される、
前記第２のチャネルにアクセスするための第２のＬＢＴプロシージャに対して前記コンテンションウィンドウサイズを適用するための手段と、
を備える、装置。
【請求項１８】
ワイヤレス通信のための装置であって、
プロセッサと、
前記プロセッサと電子通信しているメモリと、
を備え、
前記プロセッサおよびメモリは、
共有無線周波数スペクトルバンドの第１のチャネルにアクセスするための第１のリッスンビフォアトーク（ＬＢＴ）プロシージャに関連するコンテンションウィンドウサイズを決定することと、
前記第１のチャネルまたは前記共有無線周波数スペクトルバンドの第２のチャネルを使用して送信されることになるデータに関するサービス優先順位またはチャネルのタイプのうちの１つまたは複数を決定することと、ここにおいて、前記コンテンションウィンドウサイズは、前記第１のチャネルの前記サービス優先順位または前記チャネルのタイプと、前記第２のチャネルの前記サービス優先順位または前記チャネルのタイプとの組合せに少なくとも部分的に基づいて決定される、前記コンテンションウィンドウサイズは、より低いサービス優先順位を有するデータについてよりも、より高いサービス優先順位を有するデータについて、より短くなるように決定される、または、前記コンテンションウィンドウサイズは、共有チャネルを使用して送信されるデータについてよりも、制御チャネルを使用して送信されることになるデータについて、より短くなるように決定される、
前記第２のチャネルにアクセスするための第２のＬＢＴプロシージャに対して前記コンテンションウィンドウサイズを適用することと、
を行うように構成される、
装置。
【請求項１９】
前記第１のチャネルを使用して送信されることになるデータに関する前記サービス優先順位または前記チャネルのタイプのうちの１つまたは複数は、前記第２のチャネルを使用して送信されることになるデータに関する前記サービス優先順位または前記チャネルのタイプとは異なる、請求項１８に記載の装置。
【請求項２０】
前記第２のチャネルは、前記第１のチャネルに比べて、より低いサービス優先順位またはより低い優先順位のチャネルのタイプのうちの１つまたは複数を有する、請求項１８に記載の装置。
【請求項２１】
前記コンテンションウィンドウサイズは、ＬＢＴプロシージャがそれに対して実施されることになる前記共有無線周波数スペクトルバンドにおける利用可能なチャネルの数に少なくとも部分的に基づいて決定される、請求項２０に記載の装置。
【請求項２２】
前記コンテンションウィンドウサイズは、異なるサービス優先順位、異なるチャネルのタイプ、またはチャネルの数についての事前構成されたコンテンションウィンドウパラメータに少なくとも部分的に基づいて決定される、請求項２０に記載の装置。
【請求項２３】
前記コンテンションウィンドウサイズは、アップリンクグラントにおいてユーザ装置（ＵＥ）にシグナリングされる、請求項２０に記載の装置。
【請求項２４】
前記プロセッサおよびメモリは、
基地局から１つまたは複数のユーザ装置（ＵＥ）へのダウンリンク送信のための前記第１のチャネルへのチャネルアクセスを得るために、前記第１のＬＢＴプロシージャを実施すること
を行うようにさらに構成される、請求項１８に記載の装置。
【請求項２５】
前記プロセッサおよびメモリは、
ユーザ装置（ＵＥ）から受信側基地局へのアップリンク送信のための前記第１のチャネルへのチャネルアクセスを得るために、前記第１のＬＢＴプロシージャを実施すること  を行うようにさらに構成される、請求項１８に記載の装置。
【請求項２６】
ワイヤレス通信のためのコードを記憶する非一時的なコンピュータ読み取り可能な媒体であって、前記コードは、少なくとも１つのプロセッサに、
共有無線周波数スペクトルバンドの第１のチャネルにアクセスするための第１のリッスンビフォアトーク（ＬＢＴ）プロシージャに関連するコンテンションウィンドウサイズを決定することと、
前記第１のチャネルまたは前記共有無線周波数スペクトルバンドの第２のチャネルを使用して送信されることになるデータに関するサービス優先順位またはチャネルのタイプのうちの１つまたは複数を決定することと、ここにおいて、前記コンテンションウィンドウサイズは、前記第１のチャネルの前記サービス優先順位または前記チャネルのタイプと、前記第２のチャネルの前記サービス優先順位または前記チャネルのタイプとの組合せに少なくとも部分的に基づいて決定される、前記コンテンションウィンドウサイズは、より低いサービス優先順位を有するデータについてよりも、より高いサービス優先順位を有するデータについて、より短くなるように決定される、または、前記コンテンションウィンドウサイズは、共有チャネルを使用して送信されるデータについてよりも、制御チャネルを使用して送信されることになるデータについて、より短くなるように決定される、
前記第２のチャネルにアクセスするための第２のＬＢＴプロシージャに対して前記コンテンションウィンドウサイズを適用することと、
を行わせるためのものである、非一時的なコンピュータ読み取り可能な媒体。
【発明の詳細な説明】
【技術分野】
【０００１】
［相互参照］
[0001]  本特許出願は、「Techniques for Managing Medium Access to Multi-Channels of a Shared Radio Frequency Spectrum Band」と題されて２０１６年５月１１日に出願されたＺｈａｎｇらによる米国特許出願第１５／１５１，６４８号、および「Techniques for Managing Medium Access to Multi-Channels of a Shared Radio Frequency Spectrum Band」と題されて２０１５年６月１０日に出願されたＺｈａｎｇらによる米国特許仮出願第６２／１７３，５５９号に対して優先権を主張し、それらの各々は、本願の譲受人に譲渡される。
【０００２】
［本開示の分野］
[0002]  以下は、ワイヤレス通信に関し、より具体的には、共有無線周波数スペクトルバンドのマルチチャネルへの媒体アクセスを管理するための技法のための技法に関する。
【背景技術】
【０００３】
［関連技術の説明］
[0003]  ワイヤレス通信システムは、音声、ビデオ、パケットデータ、メッセージング、ブロードキャスト等のような、様々なタイプの通信コンテンツを提供するために広く展開されている。これらのシステムは、利用可能なシステムリソース（例えば、時間、周波数、および電力）を共有することによって、複数のユーザとの通信をサポートすることができる多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、単一キャリア周波数分割多元接続（ＳＣ−ＦＤＭＡ）システム、および直交周波数分割多元接続（ＯＦＤＭＡ）システムを含む。
【０００４】
[0004]  例として、ワイヤレス多元接続通信システムは、いくつかの基地局を含み得、それらの各々は、別名ユーザ装置（ＵＥ）デバイスと称される複数の通信デバイスのための通信を同時にサポートする。基地局は、ダウンリンクチャネル（例えば、基地局からＵＥへの送信のための）およびアップリンクチャネル（例えば、ＵＥから基地局への送信のための）上で、ＵＥと通信し得る。
【０００５】
[0005]  通信のいくつかのモードは、セルラネットワークの、共有無線周波数スペクトルバンド上での、あるいは異なる無線周波数スペクトルバンド（例えば、専用無線周波数スペクトルバンドおよび共有無線周波数スペクトルバンド）上での、基地局とＵＥとの間の通信を可能にし得る。専用（例えば、ライセンス）無線周波数スペクトルバンドを使用するセルラネットワークにおけるデータトラフィックの増加に伴い、共有無線周波数スペクトルバンドへの少なくともいくらかのデータトラフィックのオフローディングは、向上されたデータ送信容量のための機会をセルラオペレータに提供し得る。共有無線周波数スペクトルバンドはまた、専用無線周波数スペクトルバンドへのアクセスが利用可能でないエリアにおいて、サービスを提供し得る。
【０００６】
[0006]  共有無線周波数スペクトルバンドへのアクセスを獲得してそれ上で通信することに先立って、基地局またはＵＥは、共有無線周波数スペクトルバンドへのアクセスを求めて競合する（contend for）ためのリッスンビフォアトーク（ＬＢＴ）プロシージャを実施し得る。ＬＢＴプロシージャは、共有無線周波数スペクトルバンドのチャネルが利用可能かどうかを決定するために、クリアチャネルアセスメント（ＣＣＡ：clear channel assessment）プロシージャを実施することを含み得る。さらに、基地局またはＵＥは、例えば、１つまたは複数のコンポーネントキャリアの使用などを通じて、共有無線周波数スペクトルバンドの複数の異なるチャネルを使用して通信し得る。
【発明の概要】
【０００７】
[0007]  本開示は、例えば、共有無線周波数スペクトルバンド内に複数のチャネルを有するネットワークにおいて、リッスンビフォアトーク（ＬＢＴ）プロシージャを実施するための１つまたは複数の技法に関する。より具体的には、これら技法は、共有無線周波数スペクトルバンド内の、複数のチャネルのうちの１つまたは複数についてのコンテンションウィンドウサイズが、１つまたは複数の他のチャネルのコンテンションウィンドウサイズに対応しない可能性があるときの、共有無線周波数スペクトルバンド内の複数のチャネル上でのチャネルアクセスに関する。いくつかの例では、共有無線周波数スペクトルバンドの第１のチャネルにアクセスするための第１のＬＢＴプロシージャについてのコンテンションウィンドウサイズが決定され得、それは次いで、共有無線周波数スペクトルバンドの第２のチャネルにアクセスするための第２のＬＢＴプロシージャに対するコンテンションウィンドウサイズとして適用され得る。いくつかの例では、コンテンションウィンドウサイズは、第１のチャネルを使用して送信されることになるデータに関するサービス優先順位またはチャネルタイプのうちの１つまたは複数に少なくとも部分的に基づいて決定され得る。いくつかの例では、第１のＬＢＴプロシージャを実施することは、受信側基地局が第１のチャネルおよび第２のチャネルを予約していることを決定すること、および第２のチャネルに対して第２のＬＢＴプロシージャを実施することを含み得る。
【０００８】
[0008]  ワイヤレス通信の方法が説明される。方法は、共有無線周波数スペクトルバンドの第１のチャネルにアクセスするための第１のリッスンビフォアトーク（ＬＢＴ）プロシージャに関連するコンテンションウィンドウサイズを決定することと、共有無線周波数スペクトルバンドの第２のチャネルにアクセスするための第２のＬＢＴプロシージャに対してコンテンションウィンドウサイズを適用することと、を含み得る。
【０００９】
[0009]  ワイヤレス通信のための装置が説明される。装置は、共有無線周波数スペクトルバンドの第１のチャネルにアクセスするための第１のリッスンビフォアトーク（ＬＢＴ）プロシージャに関連するコンテンションウィンドウサイズを決定するための手段と、共有無線周波数スペクトルバンドの第２のチャネルにアクセスするための第２のＬＢＴプロシージャに対してコンテンションウィンドウサイズを適用するための手段と、を含み得る。
【００１０】
[0010]  ワイヤレス通信のためのさらなる装置が説明される。装置は、プロセッサと、プロセッサと電子通信しているメモリと、メモリに記憶された命令と、を含み得、ここにおいて、命令は、プロセッサによって、共有無線周波数スペクトルバンドの第１のチャネルにアクセスするための第１のリッスンビフォアトーク（ＬＢＴ）プロシージャに関連するコンテンションウィンドウサイズを決定することと、共有無線周波数スペクトルバンドの第２のチャネルにアクセスするための第２のＬＢＴプロシージャに対してコンテンションウィンドウサイズを適用することと、を行うように実行可能である。
【００１１】
[0011]  ワイヤレス通信のためのコードを記憶する非一時的なコンピュータ読み取り可能な媒体が説明される。コードは、共有無線周波数スペクトルバンドの第１のチャネルにアクセスするための第１のリッスンビフォアトーク（ＬＢＴ）プロシージャに関連するコンテンションウィンドウサイズを決定することと、共有無線周波数スペクトルバンドの第２のチャネルにアクセスするための第２のＬＢＴプロシージャに対してコンテンションウィンドウサイズを適用することと、を行うように実行可能な命令を含み得る。
【００１２】
[0012]  上述した方法、装置、または非一時的なコンピュータ読み取り可能な媒体のいくつかの例では、コンテンションウィンドウサイズを決定することは、第１のチャネルを使用して送信されることになるデータに関するサービス優先順位またはチャネルタイプのうちの１つまたは複数かどうかを決定、または第１のチャネルを使用して送信されることになるデータに関するサービス優先順位またはチャネルタイプのうちの１つまたは複数を識別することと、識別された１つまたは複数のサービス優先順位またはチャネルタイプに少なくとも部分的に基づいて、コンテンションウィンドウサイズを決定することと、を含み得る。追加的に、または代替的に、いくつかの例では、コンテンションウィンドウサイズは、より低いサービス優先順位を有するデータについてよりも、より高いサービス優先順位を有するデータについて、より短くなるように決定され得る。
【００１３】
[0013]  上述した方法、装置、または非一時的なコンピュータ読み取り可能な媒体のいくつかの例では、コンテンションウィンドウサイズは、共有チャネルを使用して送信されるデータについてよりも、制御チャネルを使用して送信されることになるデータについて、より短くなるように決定される。追加的に、または代替的に、いくつかの例では、コンテンションウィンドウサイズは、チャネルコンディション情報なしの共有チャネルデータについてよりも、チャネルコンディション情報を含む共有チャネルデータについて、より短くなるように決定される。
【００１４】
[0014]  上述した方法、装置、または非一時的なコンピュータ読み取り可能な媒体のいくつかの例、第１のチャネルを使用して送信されることになるデータに関するサービス優先順位またはチャネルタイプのうちの１つまたは複数は、第２のチャネルを使用して送信されることになるデータに関するサービス優先順位またはチャネルタイプとは異なり得る。追加的に、または代替的に、いくつかの例では、共有無線周波数スペクトルバンドの第２のチャネルは、第１のチャネルに比べてより低いサービス優先順位またはより低い優先順位のチャネルタイプのうちの１つまたは複数を有し、コンテンションウィンドウサイズは、第１のチャネルおよび第２のチャネルの各々のチャネルタイプまたはサービス優先順位の組合せに少なくとも部分的に基づいて決定され得る。
【００１５】
[0015]  上述した方法、装置、または非一時的なコンピュータ読み取り可能な媒体のいくつかの例では、コンテンションウィンドウサイズは、ＬＢＴプロシージャがそれに対して実施されることになる共有無線周波数スペクトルバンドにおける利用可能なチャネルの数（a number of available channels）に少なくとも部分的に基づいて決定される。追加的に、または代替的に、いくつかの例では、コンテンションウィンドウサイズは、異なるサービス優先順位、異なるチャネルタイプ、またはチャネルの数についての事前構成されたコンテンションウィンドウパラメータに少なくとも部分的に基づいて決定される。
【００１６】
[0016]  上述した方法、装置、または非一時的なコンピュータ読み取り可能な媒体のいくつかの例では、コンテンションウィンドウサイズは、アップリンクグラントにおいてユーザ装置（ＵＥ）にシグナリングされる。追加的に、または代替的に、いくつかの例は、基地局から１つまたは複数のユーザ装置（ＵＥ）へのダウンリンク送信のための第１のチャネルへのチャネルアクセスを得るために、第１のＬＢＴプロシージャを実施することを含み得る。
【００１７】
[0017]  上述した方法、装置、または非一時的なコンピュータ読み取り可能な媒体のいくつかの例は、ユーザ装置（ＵＥ）から受信側基地局へのアップリンク送信のための第１のチャネルへのチャネルアクセスを得るために、第１のＬＢＴプロシージャを実施することをさらに含み得る。追加的に、または代替的に、いくつかの例では、第１のＬＢＴプロシージャを実施することは、第１のチャネルおよび第２のチャネルについて同じＬＢＴプロシージャを実施することを含み得る。
【００１８】
[0018]  上述した方法、装置、または非一時的なコンピュータ読み取り可能な媒体のいくつかの例では、第１のＬＢＴプロシージャを実施することは、受信側基地局が第１のチャネルを予約していること、および少なくとも第２のチャネルは予約されていないことを決定することと、第２のチャネルに対して第２のＬＢＴプロシージャを実施することと、を含み得る。追加的に、または代替的に、いくつかの例では、各チャネルに対して実施するためのＬＢＴプロシージャのタイプは、アップリンクグラントにおいてＵＥにシグナリングされる。
【００１９】
[0019]  上述した方法、装置、または非一時的なコンピュータ読み取り可能な媒体のいくつかの例では、各チャネルに対して実施するためのＬＢＴプロシージャのタイプは、受信側基地局以外の１つまたは複数の基地局の構成に基づいて決定される。追加的に、または代替的に、いくつかの例では、ＬＢＴプロシージャは、各予約されたチャネルに対しては実施されない。
【００２０】
[0020]  上述した方法、装置、または非一時的なコンピュータ読み取り可能な媒体のいくつかの例では、第１のＬＢＴプロシージャを実施することは、受信側基地局が第１のチャネルおよび第２のチャネルを予約していることを決定することと、第２のチャネルに対して第２のＬＢＴプロシージャを実施することと、を備える。追加的に、または代替的に、いくつかの例では、ＬＢＴプロシージャについてのコンテンションウィンドウサイズは、最小コンテンションウィンドウサイズに設定される。
【００２１】
[0021]  上の記載は、以下の詳細な説明がよりよく理解され得るように、本開示に従った例の特徴および技術的利点を、ある程度広く概説したものである。追加的な特徴および利点が以下に説明されることになる。開示される概念および特定の例は、本開示と同じ目的を実行するために他の構造を修正または設計するための基礎として、容易に利用され得る。そのような同等の構造は、添付の特許請求の範囲の範囲（the scope）から逸脱しない。本明細書に開示される概念の特性は、それらの構成（organization）および動作の方法の両方に関して、関連した利点と共に、添付の図と併せて考慮されるときに以下の説明からよりよく理解されるであろう。これら図の各々は、例示および説明のために提供されており、特許請求の範囲の限定の定義として提供されているのではない。
【図面の簡単な説明】
【００２２】
[0022]  本開示の態様は、以下の図を参照して説明される。
【図１】[0023]  図１は、本開示の様々な態様によるワイヤレス通信システムの例を例示する。
【図２】[0024]  図２は、本開示の態様によるワイヤレス通信システムを示す。
【図３】[0025]  図３は、本開示の態様によるワイヤレス通信サブシステムの例を例示する。
【図４】[0026]  図４は、本開示の態様による共有無線周波数スペクトルバンドの異なるチャネルについてのコンテンションウィンドウの例を例示する。
【図５】[0027]  図５は、本開示の態様による、共有無線周波数スペクトルバンドのマルチチャネルへの媒体アクセスを管理するための技法をサポートする処理フローの例を例示する。
【図６】[0028]  図６は、本開示の態様による、共有無線周波数スペクトルバンドのマルチチャネルへの媒体アクセスを管理するための技法をサポートするワイヤレスデバイスのブロック図を示す。
【図７】図７は、本開示の態様による、共有無線周波数スペクトルバンドのマルチチャネルへの媒体アクセスを管理するための技法をサポートするワイヤレスデバイスのブロック図を示す。
【図８】図８は、本開示の態様による、共有無線周波数スペクトルバンドのマルチチャネルへの媒体アクセスを管理するための技法をサポートするワイヤレスデバイスのブロック図を示す。
【図９】[0029]  図９は、本開示の態様による、共有無線周波数スペクトルバンドのマルチチャネルへの媒体アクセスを管理するための技法をサポートするＵＥを含むシステムのブロック図を例示する。
【図１０】[0030]  図１０は、本開示の態様による、共有無線周波数スペクトルバンドのマルチチャネルへの媒体アクセスを管理するための技法をサポートする基地局を含むシステムのブロック図を例示する。
【図１１】[0031]  図１１は、本開示の態様による、共有無線周波数スペクトルバンドのマルチチャネルへの媒体アクセスを管理するための技法のための方法を例示する。
【図１２】図１２は、本開示の態様による、共有無線周波数スペクトルバンドのマルチチャネルへの媒体アクセスを管理するための技法のための方法を例示する。
【図１３】図１３は、本開示の態様による、共有無線周波数スペクトルバンドのマルチチャネルへの媒体アクセスを管理するための技法のための方法を例示する。
【図１４】図１４は、本開示の態様による、共有無線周波数スペクトルバンドのマルチチャネルへの媒体アクセスを管理するための技法のための方法を例示する。
【詳細な説明】
【００２３】
[0032]  ワイヤレス通信システム上での通信の少なくとも一部のために共有無線周波数スペクトルバンドが使用される技法が説明される。いくつかの例では、共有無線周波数スペクトルバンドは、ＬＴＥ（登録商標）／ＬＴＥ−Ａ通信のために使用され得る。共有無線周波数スペクトルバンドは、専用無線周波数スペクトルバンドと組み合わせて、またはそれとは無関係に使用され得る。専用無線周波数スペクトルバンドは、無線周波数スペクトルバンドであって、その無線周波数スペクトルバンドがいくつかのユーザにライセンスを与えられていることにより送信装置がそれに対するアクセスを求めて競わない可能性がある、無線周波数スペクトルバンド（例えば、ＬＴＥ／ＬＴＥ−Ａ通信のために使用可能なライセンス無線周波数スペクトルバンド）であり得る。共有無線周波数スペクトルバンドは、デバイスがそれに対するアクセスを求めて競うことを必要とし得る無線周波数スペクトルバンド（例えば、Ｗｉ−Ｆｉ用途等のアンライセンス用途のために利用可能な無線周波数スペクトルバンド、または等しく共有または優先順位付けされる方法で複数のオペレータによって使用されるために利用可能な無線周波数スペクトルバンド）であり得る。
【００２４】
[0033]  いくつかのワイヤレスシステムでは、デバイスは、衝突（collisions）を防ぐために、データを送る前にＬＢＴプロシージャを実施し得る。例えば、デバイスは、クリアチャネルアセスメント（ＣＣＡ）を使用し得る。デバイスが、チャネルがフリーであることを検知する場合、それは送信することを試みる前に、バックオフ期間の間待ち得る。バックオフ期間は、複数のデバイスが送信することを同時に試みている場合に衝突の可能性を減少させ得る。一部のケースでは、バックオフ期間は、事前に定義された最大値までランダムに選ばれ得る。例えば、デバイスが成功したＣＣＡを実施する場合、デバイスは、共有無線周波数スペクトルバンドのチャネルを使用してデータを即座に送信し得る。いくつかの展開では、最大チャネル占有時間（a maximum channel occupancy time）は、１３／３２＊ｑ  ｍｓと定義され得、ここでｑは両端値を含む４と３２との間の値であり、したがってｑは最大コンテンションウィンドウサイズを決定するために使用される。送信に続いて、デバイスは、送信されるべき追加的なデータが存在する場合、拡張されたＣＣＡ（ｅＣＣＡ）を実施し得る。さらに、ＣＣＡが失敗する場合、デバイスはｅＣＣＡを実施し得る。そのようなｅＣＣＡプロシージャは、デバイスが１とｑとの間で一様（uniform）であるランダム値Ｎを生成することと、Ｎをカウンタに記憶することと、ＣＣＡスロットがクリアであるたびに（every time a CCA slot is clear）カウンタをデクリメントすることと、カウンタがゼロに達するときにＣＣＡを実施することと、を含み得る。
【００２５】
[0034]  ｑについて使用される値は、いくつかの例では、デバイスがチャネルを制御するときの最大の可能性のあるチャネル占有時間（a maximum possible channel occupation time）に基づいて、半静的に決定され得る。いくつかの例では、チャネル占有時間は、時分割複信（ＴＤＤ）アップリンク−ダウンリンク（ＵＬ−ＤＬ）構成に合わせた（tailored to）ものであることができる。いくつかの例では、サービス優先順位固有のｑが複数のチャネルに提供され得、そこにおいてｑ値は異なる優先順位を伴うサービスについて異なったものであることができる。そのようなサービス固有のｑの値をインプリメントする展開において、比較的高い優先順位のデータ（例えば、比較的厳格な（strict）サービス品質パラメータを有するデータ）を有するノード（例えば、基地局またはＵＥ）は、比較的低い優先順位のデータを有するノードに比べてより素早く媒体にアクセスし得る。さらに、ｑの値はまた、データ送信のために使用されるチャネルのタイプに依存し得る。例えば、物理アップリンク制御チャネル（ＰＵＣＣＨ）および物理アップリンク共有チャネル（ＰＵＳＣＨ）は、異なる優先順位を有し得る。他の例では、ｑの値は、ＰＵＳＣＨを使用して送信されるチャネル品質情報（ＣＱＩ）が、ＣＱＩなしのＰＵＳＣＨ送信とは異なる優先順位を有し得るように、配信される情報に依存し得る。
【００２６】
[0035]  異なるｑの値を提供し得る展開では、共有無線周波数スペクトルバンド内の異なるチャネルがコンカレントに送信され得るマルチチャネル通信もまた、使用され得る。例えば、ある数のチャネルが５ＧＨｚの共有無線周波数スペクトルバンドに存在し得、別個の数の（a separate number of）チャネルが、２．４ＧＨｚの共有無線周波数スペクトルバンドに存在し得る。一部のケースでは、共有無線周波数スペクトルバンドの第１のチャネルが、同じ共有無線周波数スペクトルバンドの第２のチャネルに比べてより低いｑ値、したがってより短いコンテンションウィンドウを提供される場合、第２のチャネルについてのＣＣＡは失敗する可能性が格段により高いので、第２のチャネルは、その時間期間の間は使用されない可能性がある。ワイヤレスリソースのより効率的な使用を提供するために、本明細書でいくつかの例において説明される技法は、共有無線周波数スペクトルバンドにおける複数のチャネルにわたって一様なコンテンションウィンドウを適用することを提供する。いくつかの例では、そのような一様なコンテンションウィンドウは、最も高い優先度チャネルのコンテンションウィンドウをすべてのチャネルに適用することによって、または、どれだけの数のチャネルが関わっているかと、それらチャネルの優先順位との関数であるコンテンションウィンドウを適用することによって、達成され得る。
【００２７】
[0036]  いくつかの例では、チャネルアクセスを求めているＵＥは、マルチチャネル環境で動作しているとき、同様の方法でＬＢＴプロシージャを実施し得る。いくつかの展開では、ＵＥは、基地局によって送信についてスケジュールされ得、そのようなＵＥは、「１回限りの（one shot）」ＣＣＡ（そこではｑが１の値に設定される）を実施し得るか、または単に送信を開始し得る。いくつかの事例では、複数の異なるキャリアは、無線周波数スペクトルバンドを共有し得、そしてＵＥからのアップリンク送信のためにチャネルを予約するための受信側基地局の能力を提供し得る。ＵＥが送信についてスケジュールされるが基地局がチャネルを予約していないケースでは、ＵＥは、単に送信すること（to simply transmit）または１回限りのＣＣＡを実施することができない可能性があり、代わりにｅＣＣＡを実施することを必要とし得る。基地局がチャネルを予約しているケースでは、いくつかの例では、ＵＥは、送信の前に１回限りのＣＣＡを実施するか、または単に送信することを開始し得る。したがって、動作環境に依存して、共有無線周波数スペクトルバンドの異なるチャネルは、異なる媒体アクセスプロシージャを有し得る。そのような異なるアクセスプロシージャによって、上述したのと同様に、共有無線周波数スペクトルバンドの第１のチャネル上での送信が共有無線周波数スペクトルバンドの第２のチャネル上でのＣＣＡの失敗を引き起こす状況がもたらされ得る。ワイヤレスリソースのより効率的な使用を提供するために、本明細書でいくつかの例において説明される技法は、共有無線周波数スペクトルバンドにおける複数のチャネルにわたって同じＬＢＴプロシージャを適用することを提供する。ＬＢＴプロシージャ（例えば、１回限りのＣＣＡ、ｅＣＣＡ等）は、ＵＥが１つまたは複数のチャネルを使用する送信についてスケジュールされているかどうか、およびそれらチャネルのうちの１つまたは複数が受信側基地局によって予約されているかどうか、に少なくとも部分的に基づいて決定され得る。
【００２８】
[0037]  本開示の態様は、ワイヤレス通信システムの文脈で最初に説明される。次いで、クリアチャネルアセスメント処理についての特定の例が説明される。本開示のこれらの態様および他の態様はさらに、マルチチャネル環境におけるチャネルアクセス技法に関する装置の図、システムの図、およびフローチャートを参照して説明されるおよびそれらによって例示される。
【００２９】
[0038]  以下の説明は、例を提供するものであり、特許請求の範囲に記載される範囲、適用可能性、または例を限定するものではない。本開示の範囲から逸脱することなく、説明された要素の配置および機能に変更が成され得る。様々な例は、必要に応じて様々なプロシージャまたはコンポーネントを省略、代用、または追加し得る。例えば、説明される方法は、説明されるものとは異なる順序で実施され得、かつ様々なステップが追加、省略、または組み合わせられ得る。また、いくつかの例に関して説明される特徴は、他の例においては組み合わせられ得る。
【００３０】
[0039]  図１は、本開示の様々な態様によるワイヤレス通信システム１００の例を例示する。ワイヤレス通信システム１００は、共有無線周波数スペクトルバンドのマルチチャネルへの媒体アクセスを管理するための技法をサポートし得る。ワイヤレス通信システム１００は、基地局１０５、ＵＥ１１５、およびコアネットワーク１３０を含み得る。コアネットワーク１３０は、ユーザ認証、アクセス許可、トラッキング、インターネットプロトコル（ＩＰ）接続性、および他のアクセス、ルーティング、またはモビリティ機能を提供し得る。基地局１０５は、バックホールリンク１３２（例えば、Ｓ１等）を通してコアネットワーク１３０とインタフェースし得、ＵＥ１１５との通信のための無線構成およびスケジューリングを実施し得る、または基地局コントローラ（示されていない）の制御下で動作し得る。様々な例において、基地局１０５は、ワイヤードまたはワイヤレス通信リンクであり得るバックホールリンク１３４（例えば、Ｘ２等）上で互いに直接的にまたは間接的に（例えば、コアネットワーク１３０を通して）通信し得る。
【００３１】
[0040]  基地局１０５は、１つまたは複数の基地局アンテナを介してＵＥ１１５とワイヤレスに通信し得る。基地局１０５の位置（sites）の各々は、それぞれの地理的なカバレッジエリア１１０に通信カバレッジを提供し得る。いくつかの例では、基地局１０５は、トランシーバ基地局、無線基地局、アクセスポイント、無線トランシーバ、ノードＢ、ｅノードＢ（ｅＮＢ）、ホームノードＢ、ホームｅノードＢ、または何らかの他の適切な用語で呼ばれ得る。基地局１０５の地理的なカバレッジエリア１１０は、カバレッジエリアの一部を構成するセクタ（示されていない）に分割され得る。ワイヤレス通信システム１００は、異なるタイプの基地局１０５（例えば、マクロまたはスモールセル基地局）を含み得る。異なる技術について重複している地理的なカバレッジエリアが存在し得る。
【００３２】
[0041]  いくつかの例では、ワイヤレス通信システム１００は、ＬＴＥ／ＬＴＥ−Ａネットワークを含み得る。ＬＴＥ／ＬＴＥ−Ａネットワークでは、発展型ノードＢ（ｅＮＢ）という用語は、基地局１０５を説明するために使用され得、一方でＵＥという用語は、ＵＥ１１５を説明するために使用され得る。ワイヤレス通信システム１００は、異なるタイプのｅＮＢが様々な地理的領域にカバレッジを提供する異種のＬＴＥ／ＬＴＥ−Ａネットワークであり得る。例えば、各ｅＮＢまたは基地局１０５は、マクロセル、スモールセル、または他のタイプのセルに通信カバレッジを提供し得る。「セル」という用語は、文脈に応じて、基地局、基地局に関連するキャリアまたはコンポーネントキャリア、あるいは基地局またはキャリアのカバレッジエリア（例えば、セクタ等）を説明するために使用されることができる３ＧＰＰ（登録商標）用語である。
【００３３】
[0042]  マクロセルは、比較的広い地理的エリア（例えば、半径数キロメートル）をカバーし得、ネットワークプロバイダにサービス加入しているＵＥによる無制限のアクセスを可能にし得る。スモールセルは、マクロセルと同じまたは異なる（例えば、専用、共有等の）無線周波数スペクトルバンドで動作し得る、マクロセルと比較してより低い電力の基地局であり得る。スモールセルは、様々な例に従って、ピコセル、フェムトセル、およびマイクロセルを含み得る。ピコセルは、比較的より狭い地理的エリアをカバーし得、ネットワークプロバイダにサービス加入しているＵＥによる無制限のアクセスを可能にし得る。フェムトセルもまた、比較的狭い地理的エリア（例えば、住居）をカバーし得、フェムトセルと関連のあるＵＥ（例えば、クローズド加入者グループ（ＣＳＧ）内のＵＥ、住居の中にいるユーザのためのＵＥ等）による制限付きのアクセスを提供し得る。マクロセルのためのｅＮＢはマクロｅＮＢと称され得る。スモールセルのためのｅＮＢは、スモールセルｅＮＢ、ピコｅＮＢ、フェムトｅＮＢまたはホームｅＮＢと称され得る。ｅＮＢは、１つのまたは複数（例えば、２つ、３つ、４つ等）のセル（例えば、コンポーネントキャリア）をサポートし得る。
【００３４】
[0043]  ワイヤレス通信システム１００は、同期または非同期動作をサポートし得る。同期動作の場合、複数の基地局は、同様のフレームタイミングを有し得、異なる基地局からの送信は、時間的にほぼアラインされ得る。非同期動作の場合、複数の基地局は、異なるフレームタイミングを有し得、異なる基地局からの送信は、時間的にアラインされない可能性がある。ここに説明される技法は、同期動作または非同期動作のいずれにも使用され得る。
【００３５】
[0044]  様々な開示された例のうちのいくつかに順応（accommodate）し得る通信ネットワークは、レイヤ化されたプロトコルスタックに従って動作するパケットベースのネットワークであり得る。ユーザプレーンでは、ベアラまたはパケットデータコンバージェンスプロトコル（ＰＤＣＰ）レイヤにおける通信は、ＩＰベースであり得る。無線リンク制御（ＲＬＣ）レイヤは、論理チャネル上で通信するために、パケットセグメンテーションおよびリアセンブリを実施し得る。媒体アクセス制御（ＭＡＣ）レイヤは、優先処理（priority handling）、およびトランスポートチャネルへの論理チャネルの多重化を実施し得る。ＭＡＣレイヤはまた、リンク効率を改善するためのＭＡＣレイヤにおける再送信を提供するために、ハイブリッドＡＲＱ（ＨＡＲＱ）を使用し得る。制御プレーンでは、無線リソース制御（ＲＲＣ）プロトコルレイヤは、ユーザプレーンのデータのための無線ベアラをサポートするコアネットワーク１３０または基地局１０５とＵＥ１１５との間のＲＲＣ接続の確立、構成、および管理を提供し得る。物理（ＰＨＹ）レイヤにおいて、トランスポートチャネルは、物理チャネルにマッピングされ得る。
【００３６】
[0045]  ＵＥ１１５は、ワイヤレス通信システム１００全体に分散され得、各ＵＥ１１５は、固定式またはモバイルであり得る。ＵＥ１１５はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の好適な用語でも呼ばれ得るかまたはそれらを含み得る。ＵＥ１１５は、セルラフォン、携帯情報端末（ＰＤＡ）、ワイヤレスモデム、ワイヤレス通信デバイス、ハンドヘルドデバイス、タブレットコンピュータ、ラップトップコンピュータ、コードレス電話、ワイヤレスローカルループ（ＷＬＬ）局等であり得る。ＵＥは、マクロｅＮＢ、スモールセルｅＮＢ、リレイ基地局等を含む様々なタイプの基地局およびネットワーク装置と通信することが可能であり得る。
【００３７】
[0046]  ワイヤレス通信システム１００に示された通信リンク１２５は、基地局１０５からＵＥ１１５へのダウンリンク（ＤＬ）送信、またはＵＥ１１５から基地局１０５へのアップリンク（ＵＬ）送信を含み得る。ダウンリンク送信はまた、フォワードリンク送信とも呼ばれ得、一方でアップリンク送信はまた、リバースリンク送信とも呼ばれ得る。ダウンリンク送信は、例えば、物理ダウンリンク共有チャネル（ＰＤＳＣＨ）、物理ダウンリンク制御チャネル（ＰＤＣＣＨ；例えば、専用無線周波数スペクトルバンド上での送信のための）、向上されたＰＤＣＣＨ（ＥＰＤＣＣＨ；例えば、共有無線周波数スペクトルバンド上での送信のための）、または物理フレームフォーマットインジケータチャネル（ＰＦＦＩＣＨ）を含み得る。通信リンク１２５のＴＤＤ動作のケースでは、ＰＦＦＩＣＨ上でのシグナリングは、通信リンク１２５上での通信のフレームのＴＤＤ構造を示し得る。アップリンク送信は、例えば、物理アップリンク共有チャネル（ＰＵＳＣＨ）または物理アップリンク制御チャネル（ＰＵＣＣＨ）を含み得る。アップリンク送信はまた、ダウンリンク送信についてのフィードバック（例えば、ＨＡＲＱフィードバック）を含み得る。
【００３８】
[0047]  いくつかの例では、通信リンク１２５は、１つまたは複数のキャリアを含み得、ここで、各キャリアは、上述した様々な無線技術に従って変調された複数のサブキャリア（例えば、異なる周波数の波形信号）から構成される信号であり得る。各変調信号は、異なるサブキャリア上で送られ得、制御情報（例えば、基準信号、制御チャネル等）、オーバヘッド情報、ユーザデータ等を搬送し得る。通信リンク１２５は、（例えば、ペアのスペクトルリソースを使用した）周波数領域デュプレクシング（ＦＤＤ：frequency domain duplexing）動作、または（例えば、ペアになっていないスペクトルリソースを使用した）時間領域デュプレクシング（ＴＤＤ：time domain duplexing）動作を使用して、双方向通信を送信し得る。ＦＤＤ動作のためのフレーム構造（例えば、フレーム構造タイプ１）およびＴＤＤ動作のためのフレーム構造（例えば、フレーム構造タイプ２）が定義され得る。
【００３９】
[0048]  ワイヤレス通信システム１００のいくつかの例では、基地局１０５またはＵＥ１１５は、基地局１０５とＵＥ１１５との間の通信品質および信頼性を改善するためにアンテナダイバーシティスキームを用いるためのマルチプルな（multiple）アンテナを含み得る。追加的に、または代替的に、基地局１０５またはＵＥ１１５は、同じまたは異なるコード化されたデータを搬送する複数の空間レイヤを送信するためにマルチパス環境を活用し得る、多入力多出力（ＭＩＭＯ）技法を用い得る。
【００４０】
[0049]  いくつかの例では、ワイヤレス通信システム１００は、専用無線周波数スペクトルバンド（例えば、無線周波数スペクトルバンドであって、ＬＴＥ／ＬＴＥ−Ａ通信のために使用可能なライセンス無線周波数スペクトルバンドのような、特定の用途のためにその無線周波数スペクトルバンドがユーザにライセンスを与えられていることにより送信装置がそれに対するアクセスを求めて競わない可能性がある、無線周波数スペクトルバンド）、または共有無線周波数スペクトルバンド（例えば、送信装置がそれに対するアクセスを求めて競うことを必要とし得る無線周波数スペクトルバンド（例えば、Ｗｉ−Ｆｉ用途等のアンライセンス用途のために利用可能な無線周波数スペクトルバンド、または等しく共有または優先順位付けされる方法で複数のオペレータによって使用されるために利用可能な無線周波数スペクトルバンド））上での動作をサポートし得る。
【００４１】
[0050]  いくつかの例では、上述したように、ワイヤレス通信システム１００は、共有無線周波数スペクトルバンド内の複数のキャリアを利用し得る。キャリアはまた、コンポーネントキャリア（ＣＣ）、レイヤ、チャネル等とも称され得る。「キャリア」、「コンポーネントキャリア」、「セル」および「チャネル」という用語は、ここで置換え可能に使用され得る。ＵＥ１１５は、キャリアアグリゲーションのために複数のダウンリンクＣＣおよび１つまたは複数のアップリンクＣＣで構成され得る。各通信方向において、１つのＣＣは、プライマリセル（Ｐセル）として構成され得、他のＣＣは、セカンダリセル（Ｓセル）として構成され得る。キャリアアグリゲーションは、ＦＤＤコンポーネントキャリアとＴＤＤコンポーネントキャリアとの両方で使用され得る。いくつかの例では、異なるキャリアについてのチャネルアクセス技法は、ＵＥ１１５または基地局１０５が複数の異なるキャリアにわたって同じチャネルアクセスプロシージャを使用し得ること、複数のチャネルアクセスプロシージャについて一様なコンテンションウィンドウを使用し得ること、またはそれらの組合せを提供し得る。
【００４２】
[0051]  図２は、本開示の態様によるワイヤレス通信システム２００を示す。ワイヤレス通信システム２００は、そこにおいてＬＴＥ／ＬＴＥ−Ａが共有無線周波数スペクトルバンドを使用して異なる状況下で展開され得るものであり得る。より具体的には、図２は、ＬＴＥ／ＬＴＥ−Ａが共有無線周波数スペクトルバンドを使用して展開されるスタンドアロンモード、キャリアアグリゲーションモード、および補足ダウンリンクモード（ライセンス支援アクセスモードとも呼ばれる）の例を例示する。ワイヤレス通信システム２００は、図１を参照して説明されたワイヤレス通信システム１００の一部の例であり得る。また、第１の基地局２０５および第２の基地局２０５−ａは、図１を参照して説明された基地局１０５のうちの１つまたは複数の態様の例であり得、一方で第１のＵＥ２１５、第２のＵＥ２１５−ａ、第３のＵＥ２１５−ｂ、および第４のＵＥ２１５−ｃは、図１を参照して説明されたＵＥ１１５のうちの１つまたは複数の態様の例であり得る。
【００４３】
[0052]  ワイヤレス通信システム２００における補足ダウンリンクモード（例えば、ライセンス支援アクセス（ＬＡＡ）モード）の例では、第１の基地局２０５は、ダウンリンクチャネル２２０を使用してＯＦＤＭＡ波形を第１のＵＥ２１５に送信し得る。ダウンリンクチャネル２２０は、共有無線周波数スペクトルバンドにおける周波数Ｆ１に関連し得る。第１の基地局２０５は、第１の双方向リンク２２５を使用してＯＦＤＭＡ波形を第１のＵＥ２１５に送信し得、第１の双方向リンク２２５を使用して第１のＵＥ２１５からＳＣ−ＦＤＭＡ波形を受信し得る。第１の双方向リンク２２５は、専用無線周波数スペクトルバンドにおける周波数Ｆ４に関連し得る。共有無線周波数スペクトルバンドにおけるダウンリンクチャネル２２０、および専用無線周波数スペクトルバンドにおける第１の双方向リンク２２５は、同時に（contemporaneously）動作し得る。ダウンリンクチャネル２２０は、第１の基地局２０５にダウンリンク容量オフロードを提供し得る。いくつかの例では、ダウンリンクチャネル２２０は、ユニキャストサービス（例えば、１つのＵＥに向けられる）またはマルチキャストサービス（例えば、いくつかのＵＥに向けられる）のために使用され得る。この状況は、専用無線周波数スペクトルバンドを使用し、かつトラフィックまたはシグナリング輻輳のうちのいくらかを緩和する必要がある、いかなるサービスプロバイダ（例えば、モバイルネットワークオペレータ（ＭＮＯ）またはキャリア）にも起こり得る。
【００４４】
[0053]  ワイヤレス通信システム２００におけるキャリアアグリゲーションモードの１つの例では、第１の基地局２０５は、第２の双方向リンク２３０を使用してＯＦＤＭＡ波形を第２のＵＥ２１５−ａに送信し得、第２の双方向リンク２３０を使用して、第２のＵＥ２１５−ａからＯＦＤＭＡ波形、ＳＣ−ＦＤＭＡ波形、またはリソースブロックインタリーブＦＤＭＡ波形を受信し得る。第２の双方向リンク２３０は、共有無線周波数スペクトルバンドにおける周波数Ｆ１に関連し得る。第１の基地局２０５はまた、第３の双方向リンク２３５を使用してＯＦＤＭＡ波形を第２のＵＥ２１５−ａに送信し得、第３の双方向リンク２３５を使用して第２のＵＥ２１５−ａからＳＣ−ＦＤＭＡ波形を受信し得る。第３の双方向リンク２３５は、専用無線周波数スペクトルバンドにおける周波数Ｆ２に関連し得る。第２の双方向リンク２３０は、第１の基地局２０５にダウンリンクおよびアップリンク容量オフロードを提供し得る。上述した補足ダウンリンク（例えば、ライセンス支援アクセスモード）と同様に、この状況は、専用無線周波数スペクトルバンドを使用し、かつトラフィックまたはシグナリング輻輳うちのいくらかを緩和する必要がある、いかなるサービスプロバイダ（例えば、ＭＮＯまたはキャリア）にも起こり得る。
【００４５】
[0054]  ワイヤレス通信システム２００におけるキャリアアグリゲーションモードの別の例では、第１の基地局２０５は、第４の双方向リンク２４０を使用してＯＦＤＭＡ波形を第３のＵＥ２１５−ｂに送信し得、第４の双方向リンク２４０を使用して、第３のＵＥ２１５−ｂからＯＦＤＭＡ波形、ＳＣ−ＦＤＭＡ波形、またはリソースブロックインタリーブ波形を受信し得る。第４の双方向リンク２４０は、共有無線周波数スペクトルバンドにおける周波数Ｆ３に関連し得る。第１の基地局２０５はまた、第５の双方向リンク２４５を使用してＯＦＤＭＡ波形を第３のＵＥ２１５−ｂに送信し得、第５の双方向リンク２４５を使用して第３のＵＥ２１５−ｂからＳＣ−ＦＤＭＡ波形を受信し得る。第５の双方向リンク２４５は、専用無線周波数スペクトルバンドにおける周波数Ｆ２に関連し得る。第４の双方向リンク２４０は、第１の基地局２０５にダウンリンクおよびアップリンク容量オフロードを提供し得る。この例および上に提供された例は、例示を目的として提示されており、容量オフロードのために、専用無線周波数スペクトルバンドにおいてＬＴＥ／ＬＴＥ−Ａを組み合わせ、かつ共有無線周波数スペクトルバンドを使用する、他の同様の動作のモードまたは展開状況が存在し得る。
【００４６】
[0055]  上述したように、共有無線周波数スペクトルバンドにおいてＬＴＥ／ＬＴＥ−Ａを使用することによって提供される容量オフロードから恩恵を受け得るキャリア、またはサービスプロバイダの１つのタイプは、ＬＴＥ／ＬＴＥ−Ａ専用無線周波数スペクトルバンドへのアクセス権を有する伝統的なＭＮＯである。これらのキャリアについて、動作の例（operational example）は、専用無線周波数スペクトルバンド上でＬＴＥ／ＬＴＥ−Ａプライマリコンポーネントキャリア（ＰＣＣ）を使用し、共有無線周波数スペクトルバンド上で少なくとも１つのセカンダリコンポーネントキャリア（ＳＣＣ）を使用するブートストラップモード（例えば、補足ダウンリンク（例えば、ライセンス支援アクセス）、キャリアアグリゲーション）を含み得る。
【００４７】
[0056]  キャリアアグリゲーションモードでは、データおよび制御は、例えば、専用無線周波数スペクトルバンドにおいて（例えば、第１の双方向リンク２２５、第３の双方向リンク２３５、および第５の双方向リンク２４５を介して）通信され得、一方データは、例えば、共有無線周波数スペクトルバンドにおいて（例えば、第２の双方向リンク２３０および第４の双方向リンク２４０を介して）通信され得る。共有無線周波数スペクトルバンドを使用するときにサポートされるキャリアアグリゲーションメカニズムは、ハイブリッド周波数分割複信−時分割複信（ＦＤＤ−ＴＤＤ）キャリアアグリゲーション（a hybrid frequency division duplexing-time division duplexing (FDD-TDD) carrier aggregation）または複数のコンポーネントキャリアにわたって異なる対称性を有するＴＤＤ−ＴＤＤキャリアアグリゲーションに該当し得る。
【００４８】
[0057]  ワイヤレス通信システム２００におけるスタンドアロンモードの１つの例では、第２の基地局２０５−ａは、双方向リンク２５０を使用してＯＦＤＭＡ波形を第４のＵＥ２１５−ｃに送信し得、双方向リンク２５０を使用して、第４のＵＥ２１５−ｃからＯＦＤＭＡ波形、ＳＣ−ＦＤＭＡ波形、またはリソースブロックインタリーブＦＤＭＡ波形を受信し得る。双方向リンク２５０は、共有無線周波数スペクトルバンドにおける周波数Ｆ３に関連し得る。スタンドアロンモードは、スタジアム内のアクセス（in-stadium access）（例えば、ユニキャスト、マルチキャスト）のような非伝統的なワイヤレスアクセス状況において使用され得る。この動作のモードのためのサービスプロバイダのタイプの例は、専用無線周波数スペクトルバンドへのアクセスを有さない大企業（large corporation）、企業（enterprise）、ホテル、イベントホスト、ケーブル会社、またはスタジアムオーナーであり得る。
【００４９】
[0058]  いくつかの例では、図１または図２を参照して説明された基地局１０５、２０５、または２０５−ａのうちの１つ、あるいは、図１または図２を参照して説明されたＵＥ１１５、２１５、２１５−ａ、２１５−ｂ、または２１５−ｃのうちの１つのような送信装置は、共有無線周波数スペクトルバンドのチャネルへの（例えば、共有無線周波数スペクトルバンドの物理チャネルへの）アクセスを得るために、ゲーティングインターバルを使用し得る。いくつかの例では、ゲーティングインターバルは、周期的であり得る。例えば、周期的なゲーティングインターバルは、周期的な無線フレーム構造（例えば、ＬＴＥ／ＬＴＥ−Ａ無線フレーム構造）の少なくとも１つの境界に同期され得る。ゲーティングインターバルは、欧州電気通信標準化機構（ＥＴＳＩ：European Telecommunications Standards Institute）（ＥＮ３０１  ８９３）に定められたＬＢＴプロトコルに基づいて、ＬＢＴプロトコルのような競合ベースのプロトコルのアプリケーションを定義し得る。ＬＢＴプロトコルのアプリケーションを定義するゲーティングインターバルを使用するとき、ゲーティングインターバルは、クリアチャネルアセスメント（ＣＣＡ）プロシージャのような競合プロシージャ（例えば、ＬＢＴプロシージャ）を送信装置がいつ実施する必要があるかを示し得る。ＣＣＡプロシージャの結果は、共有無線周波数スペクトルバンドのチャネルがゲーティングインターバル（ＬＢＴ無線フレームとも呼ばれる）について使用されているかまたは利用可能であるかを送信装置に示し得る。ＣＣＡプロシージャが、対応するＬＢＴ無線フレームについてチャネルが利用可能である（例えば、使用について「クリア」である）と示すとき、送信装置は、ＬＢＴ無線フレームの一部またはすべての間、共有無線周波数スペクトルバンドのチャネルを予約または使用し得る。ＣＣＡプロシージャが、チャネルが利用可能でないこと（例えば、チャネルが別の送信装置によって使用または予約されていること）を示すとき、送信装置は、ＬＢＴ無線フレームの間、チャネルを使用することを妨げられ得る。いくつかの例では、共有無線周波数スペクトルバンドのチャネルは、共有無線周波数スペクトルバンド上でチャネル使用ビーコン信号（ＣＵＢＳ）を送信することによって予約され得る。
【００５０】
[0059]  図３は、本開示の態様によるワイヤレス通信サブシステム３００の例を例示する。ワイヤレス通信サブシステム３００は、共有無線周波数スペクトルバンドのマルチチャネルへの媒体アクセスを管理するための技法をサポートし得る。ワイヤレス通信サブシステム３００は、ＵＥ３１５、第１の基地局３０５−ａ、および第２の基地局３０５−ｂを含み得、それらは、図１または図２を参照して上述したＵＥ１１５、ＵＥ２１５、基地局１０５、または基地局２０５の例であり得、共有またはアンライセンス無線周波数スペクトルバンドにおいて１つの無線アクセス技術（ＲＡＴ）システムを使用して通信している可能性がある。第１の基地局３０５−ａおよび第２の基地局３０５−ｂの各々は、対応するカバレッジエリア３１０を有し、それは、図１の地理的なカバレッジエリア１１０の例であり得る。ワイヤレス通信サブシステム３００はまた、ワイヤレスローカルエリアネットワーク（ＷＬＡＮ）における局またはアクセスポイントのような、１つまたは複数の他のワイヤレスデバイス（示されていない）を含み得、それらは、同じスペクトルにおいて異なるＲＡＴを使用している可能性がある。基地局３０５−ａは、第１のキャリアによって動作され得（operated by）、第１のコンポーネントキャリア３２５−ａおよび第２のコンポーネントキャリア３２５−ｂを使用してＵＥ３１５と通信し得る。基地局３０５−ｂは、同じ共有無線周波数スペクトルバンドを使用して第２のキャリアによって動作され得る。
【００５１】
[0060]  いくつかの例によれば、基地局３０５−ａは、第１のコンポーネントキャリア３２５−ａについての第１のチャネルにアクセスするためにＬＢＴプロシージャを実施し得、第２のコンポーネントキャリア３２５−ｂについての第２のチャネルにアクセスするためにＬＢＴプロシージャを実施し得る。同様に、ＵＥ３１５は、第１のキャリアについての第１のチャネルにアクセスするためにＬＢＴプロシージャを実施し得、第２のキャリアについての第２のチャネルにアクセスするためにＬＢＴプロシージャを実施し得る。いくつかの例では、基地局３０５−ａ、ならびにＵＥ３１５は、第１のおよび第２のチャネルの各々について、同じコンテンションウィンドウサイズ（例えば、同じｑ値）を使用し得る。ＵＥ３１５または基地局３０５−ａが１つのチャネルについてのチャネルタイプまたはサービス優先順位に基づいて、それのコンテンションウィンドウ値を更新する必要があるという場合には、同じコンテンションウィンドウが、すべての他のチャネルに適用され得る。したがって、いくつかの例では、基地局３０５−ａまたはＵＥ３１５は、共有無線周波数スペクトルバンドにアクセスすることを試み、そして、同じｑ値を使用して導出されたコンテンションウィンドウを使用して、各チャネル上で高い優先順位のデータを送り得る。同様に、いくつかの例では、ＵＥ３１５が、第１のコンポーネントキャリア３２５−ａ上でＰＵＣＣＨを使用して送信されることになるデータと、第２のコンポーネントキャリア３２５−ｂ上でＰＵＳＣＨを使用して送信されることになるデータとを有する場合、ＵＥは、第１のコンポーネントキャリア３２５−ａと第２のコンポーネントキャリア３２５−ｂとの両方に適用するためにＰＵＣＣＨチャネルタイプに基づいて、コンテンションウィンドウを決定し得る。
【００５２】
[0061]  いくつかの例では、第１の基地局３０５−ａは、チャネルの総数およびサービス優先順位に少なくとも部分的に基づいて、コンテンションウィンドウ値を決定し得る。例えば、第１のコンポーネントキャリア３２５−ａと第２のコンポーネントキャリア３２５−ｂとの両方上で基地局３０５−ａから送信されることになるデータが同じ優先順位を有する場合、基地局３０５−ａは、第１のコンポーネントキャリア３２５−ａおよび第２のコンポーネントキャリア３２５−ｂ上で、第１の基地局３０５−ａが単一のキャリア上のみで送信している場合に使用されるであろうものとは異なるコンテンションウィンドウサイズを使用し得る。同様に、第１のコンポーネントキャリア３２５−ａと第２のコンポーネントキャリア３２５−ｂとの両方上でＵＥ３１５から送信されることになるデータが同じ優先順位を有する場合、ＵＥ３１５は、第１のコンポーネントキャリア３２５−ａと第２のコンポーネントキャリア３２５−ｂとの両方上で、ＵＥ３１５が単一のキャリア上のみで送信している場合に使用されるであろうものとは異なるコンテンションウィンドウサイズを使用し得る。いくつかの例では、第１の基地局３０５−ａは、アップリンクグラントにおいて、コンテンションウィンドウ値をＵＥ３１５にシグナリングし得る。いくつかの例では、コンテンションウィンドウ値は、半静的に構成され得、そしてＵＥ３１５にシグナリングされ得る。
【００５３】
[0062]  ＵＥ３１５は、いくつかの例では、すべてのスケジュールされたキャリアに対して同じ媒体アクセスプロシージャを実施し得る。例えば、ＵＥ３１５が第１のコンポーネントキャリア３２５−ａと第２のコンポーネントキャリア３２５−ｂとの両方においてスケジュールされたグラントを有する場合、ＵＥ３１５は、第１のコンポーネントキャリア３２５−ａおよび第２のコンポーネントキャリア３２５−ｂ上での送信の前に、１回限りのＣＣＡを実施し得るか、またはＣＣＡを実施しない可能性がある。いくつかの例では、第１の基地局３０５−ａと第２の基地局３０５−ｂとの両方は、ＵＥ３１５についてグラントをスケジュールし得、それはクロスキャリアスケジュールグラント（cross-carrier scheduled grants）と称され得る。いくつかの例では、クロスキャリアスケジュールグラントのケースであって、および受信側基地局３０５がいずれのコンポーネントキャリア（例えば、第１のコンポーネントキャリア３２５−ａおよび第２のコンポーネントキャリア３２５−ｂ）上でも媒体を予約していないケースでは、ＵＥ３１５は、すべてのコンポーネントキャリア上での送信の前に、ｅＣＣＡを実施し得る。他の例では、クロスキャリアスケジュールグラントのケースであって、および受信側基地局３０５がすべてのコンポーネントキャリア上で媒体を予約しているケースでは、ＵＥ３１５は、すべてのキャリア上での送信前に、単に１回限りのＣＣＡを実施する（またはＣＣＡを実施しない）可能性がある。さらに他の例では、受信側基地局３０５が１つのキャリア（例えば、第１のコンポーネントキャリア３２５−ａ）上では媒体を予約しているが、他のキャリア（例えば、第２のコンポーネントキャリア３２５−ｂ）上では予約していないケースでは、その結果ＵＥ３１５は、すべてのコンポーネントキャリア上でｅＣＣＡを実施し得る。他の例では、受信側基地局３０５がすべてよりも少ない利用可能なキャリア上で媒体を予約しているケースでは、その結果ＵＥ３１５は、すべてのコンポーネントキャリアについて使用されるＣＣＡタイプと共に、アップリンクグラントにおいて、または構成を通して、使用するべきｅＣＣＡプロシージャのタイプについて示され得る。
【００５４】
[0063]  図４は、本開示の態様による、共有無線周波数スペクトルバンドの異なるチャネルについてのコンテンションウィンドウの例４００を例示する。ＵＥ（例えば、図１〜図３のＵＥ１１５、２１５、２１５−ａ、２１５−ｂ、２１５−ｃ、３１５）および基地局（例えば、図１〜図３の基地局１０５、２０５、２０５−ａ、３０５−ａ、３０５−ｂ）によって利用され得るＬＢＴプロシージャのタイプおよびコンテンションウィンドウサイズは、図１〜図３に関して上述したように決定され得る。一部のケースでは、上述したように、基地局またはＵＥは、衝突を防ぐために、データを送る前に、ある時間の期間の間、媒体またはチャネルをモニタし得る。例えば、第１のチャネル４２０がモニタされ得、それは、より高い優先順位のデータまたはより高い優先順位のチャネルタイプを有することなどにより、第２のチャネル４３０に比べてより高い優先順位を有し得る。コンテンションウィンドウ４０７−ａは、例えば、上述したものと同様の方法で、第１のチャネル４２０の優先順位に基づいて決定され得る。チャネルがフリーであることを基地局が検知する場合、それは送信することを試みる前に、バックオフ期間４１０の間待ち得る。一部のケースでは、バックオフ期間４１０は、コンテンションウィンドウ４０７−ａの事前に定義された最大値までランダムに選ばれ得る。一部のケースでは、衝突は依然として起こり得る。そのようなケースでは、ＣＷの長さが増加され得、それは、複数のデバイスが成功裡に送信するためのより多くの機会を与え得る。
【００５５】
[0064]  時間期間４０５−ａは、基地局がキャリア検知を実施することを表し得る。バックオフ期間４１０−ａが終了するとき、基地局は、時間期間４０５−ｂにおいて、キャリア検知を実施し得る。キャリアが利用可能である場合、次いでそれは送信し得る。送信機会４１５−ａは、この、送信のために利用可能な期間を表し得る。上述したように、第２のチャネル４３０−ａは、第１のチャネル４２０に比べて、より低い優先順位のデータを送信するようにスケジュールされ得る、またはより低い優先順位のチャネルタイプであり得る。上述したように、もしコンテンションウィンドウ４０７−ｂおよび関連した時間期間４０５−ｂ、バックオフ期間４１０−ｂ、および送信機会４１５−ｂが第２のチャネル４３０−ａについて使用されるならば、第１のチャネル４２０上で開始する送信は、第２のチャネルについての失敗したＣＣＡをもたらし得る。したがって、第１のチャネル４２０と第２のチャネル４３０−ａとの両方を使用して、ネットワーク効率を向上させて送信のより高い見込み（likelihood）を可能にするために、様々な例が修正された第２のチャネル４３０−ｂを提供し、そこにおいて、コンテンションウィンドウ４０７−ａ、および関連した時間期間４０５−ｃ、バックオフ期間４１０−ｃ、および送信機会４１５−ｃは、第１のチャネル４２０についてと同じ値に設定されることになる。さらに、チャネル４２０、４３０がアップリンクチャネルであり得る場合には、チャネル４２０、４３０を送信しているＵＥは、各チャネル４２０、４３０に対して同じタイプのＬＢＴプロシージャ（例えば、１回限りのＣＣＡ、ｅＣＣＡ等）を実施し得る。
【００５６】
[0065]  図５は、本開示の態様による、共有無線周波数スペクトルバンドのマルチチャネルへの媒体アクセスを管理するための技法についての処理フロー５００の例を例示する。処理フロー５００は、ＵＥ５１５および基地局５０５を含み得、それらは、ＵＥ（例えば、図１〜図３のＵＥ１１５、２１５、２１５−ａ、２１５−ｂ、２１５−ｃ、３１５）および基地局（例えば、図１〜図３の基地局１０５、２０５、２０５−ａ、３０５−ａ、３０５−ｂ）の例であり得る。
【００５７】
[0066]  ブロック５２０において、基地局５０５は、複数のチャネルを使用して送信されることになるデータに関するデータ優先順位およびチャネルタイプを決定し得る。ブロック５２５において、基地局５０５は、図１〜図４に関して上述したものと同様の方法で、複数のチャネルの各々についてのコンテンションウィンドウ値を決定し得る。例えば、基地局５０５は、共有無線周波数スペクトルバンドの第１のチャネルにアクセスするための第１のリッスンビフォアトーク（ＬＢＴ）プロシージャに関連するコンテンションウィンドウサイズを決定し得、それは、共有無線周波数スペクトルバンドの第２のチャネルに適用され得る。ブロック５３０において、基地局５０５は、決定されたＣＷ値を使用して、各チャネルに対してＣＣＡを実施し得る。いくつかの例では、コンテンションウィンドウサイズを決定することは、第１のチャネルを使用して送信されることになるデータに関するサービス優先順位またはチャネルタイプのうちの１つまたは複数かどうかを決定、または第１のチャネルを使用して送信されることになるデータに関するサービス優先順位またはチャネルタイプのうちの１つまたは複数を識別することを含み得る。いくつかの他の例では、コンテンションウィンドウサイズを決定することは、複数のチャネルを使用して送信されることになるデータに関するサービス優先順位またはチャネルタイプのうちの１つまたは複数かどうかを決定、または複数のチャネルを使用して送信されることになるデータに関するサービス優先順位またはチャネルタイプのうちの１つまたは複数を識別することを含み得る。マルチチャネル送信５３５が次いで、ＵＥ５１５に送信され得る。
【００５８】
[0067]  ブロック５４０において、ＵＥ５１５は、図１〜図４に関して上述したものと同様の方法で、アップリンク送信のための各チャネルについてのＬＢＴタイプおよびコンテンションウィンドウ値を決定し得る。ブロック５４５において、ＵＥ５１５は、各チャネルに対してＣＣＡを実施し得る。例えば、ＵＥ５１５は、各チャネルに対して同じＣＣＡプロシージャを実施し得る。いくつかの例では、各チャネルに対して実施するためのＣＣＡプロシージャのタイプは、マルチチャネル送信５３５においてシグナリングされ、それは、ＵＥ５１５へのアップリンクグラントを含み得る。いくつかの例では、各チャネルに対して実施するためのＣＣＡプロシージャのタイプは、基地局５０５以外の１つまたは複数の基地局の構成に少なくとも部分的に基づいて決定され、そのＣＣＡプロシージャのタイプは、各チャネルに適用され得る。いくつかの例では、ＣＣＡプロシージャは、各予約されたチャネルに対しては実施されない可能性がある。いくつかの例では、各チャネルは、ＵＥ５１５からのアップリンクマルチチャネル送信５５０について予約され得、ＣＣＡプロシージャについてのコンテンションウィンドウサイズは、最小コンテンションウィンドウサイズに設定され得る。
【００５９】
[0068]  図６は、本開示の態様による、共有無線周波数スペクトルバンドのマルチチャネルへの媒体アクセスを管理するための技法をサポートするワイヤレスデバイス６００のブロック図を示す。ワイヤレスデバイス６００は、図１〜図５を参照して説明された基地局１０５、２０５、２０５−ａ、３０５−ａ、３０５−ｂ、または５０５、あるいはＵＥ１１５、２１５、２１５−ａ、２１５−ｂ、２１５−ｃ、３１５、または５１５の態様の例であり得る。ワイヤレスデバイス６００は、受信機６０５、ＬＢＴコンポーネント６１０、または送信機６１５を含み得る。ワイヤレスデバイス６００はまた、プロセッサを含み得る。これらのコンポーネントの各々は、互いに通信している可能性がある。
【００６０】
[0069]  受信機６０５は、（例えば、共有無線周波数スペクトルバンドのマルチチャネルへの媒体アクセスを管理するための技法に関係する情報、データチャネル、および制御チャネル等の）様々な情報チャネルに関連する制御情報、ユーザデータ、またはパケットのような情報を受信し得る。情報は、ＬＢＴコンポーネント６１０に、そしてワイヤレスデバイス６００の他のコンポーネントへと、渡され得る。
【００６１】
[0070]  ＬＢＴコンポーネント６１０は、共有無線周波数スペクトルバンドの第１のチャネルにアクセスするための第１のリッスンビフォアトーク（ＬＢＴ）プロシージャに関連するコンテンションウィンドウサイズを決定し、および共有無線周波数スペクトルバンドの第２のチャネルにアクセスするための第２のＬＢＴプロシージャに対してコンテンションウィンドウサイズを適用し得る。送信機６１５は、ワイヤレスデバイス６００の他のコンポーネントから受信された信号を送信し得る。いくつかの例では、送信機６１５は、トランシーバモジュール内に受信機６０５と共に配置され得る。送信機６１５は、単一のアンテナを含み得るか、またはそれは、複数のアンテナを含み得る。
【００６２】
[0071]  図７は、本開示の態様による、共有無線周波数スペクトルバンドのマルチチャネルへの媒体アクセスを管理するための技法をサポートするワイヤレスデバイス７００のブロック図を示す。ワイヤレスデバイス７００は、図１〜図６を参照して説明されたワイヤレスデバイス６００、基地局１０５、２０５、２０５−ａ、３０５−ａ、３０５−ｂ、または５０５、あるいはＵＥ１１５、２１５、２１５−ａ、２１５−ｂ、２１５−ｃ、３１５、または５１５の態様の例であり得る。ワイヤレスデバイス７００は、受信機７０５、ＬＢＴコンポーネント７１０、または送信機７１５を含み得る。ワイヤレスデバイス７００はまた、プロセッサを含み得る。これらのコンポーネントの各々は、互いに通信している可能性がある。ＬＢＴコンポーネント７１０はまた、ＣＷサイズコンポーネント７２０、マルチチャネルＣＷ決定コンポーネント７２５、およびＣＣＡコンポーネント７３０を含み得る。
【００６３】
[0072]  受信機７０５は、ＬＢＴコンポーネント７１０に、そしてワイヤレスデバイス７００の他のコンポーネントへと渡され得る情報を、受信し得る。ＬＢＴコンポーネント７１０は、図６を参照して説明された動作を実施し得る。送信機７１５は、ワイヤレスデバイス７００の他のコンポーネントから受信された信号を送信し得る。
【００６４】
[0073]  ＣＷサイズコンポーネント７２０は、図２〜図５を参照して説明されたように、共有無線周波数スペクトルバンドの第１のチャネルにアクセスするための第１のリッスンビフォアトーク（ＬＢＴ）プロシージャに関連するコンテンションウィンドウサイズを決定し得る。ＣＷサイズコンポーネント７２０はまた、識別された１つまたは複数のサービス優先順位またはチャネルタイプに少なくとも部分的に基づいて、コンテンションウィンドウサイズを決定し得る。いくつかの例では、コンテンションウィンドウサイズは、より低いサービス優先順位を有するデータについてよりも、より高いサービス優先順位を有するデータについて、より短くなるように決定され得る。いくつかの例では、コンテンションウィンドウサイズは、共有チャネルを使用して送信されるデータについてよりも、制御チャネルを使用して送信されることになるデータについて、より短くなるように決定され得る。いくつかの例では、コンテンションウィンドウサイズは、チャネルコンディション情報なしの共有チャネルデータについてよりも、チャネルコンディション情報を含む共有チャネルデータについて、より短くなるように決定され得る。いくつかの例では、コンテンションウィンドウサイズは、ＬＢＴプロシージャがそれに対して実施され得る共有無線周波数スペクトルバンドにおける利用可能なチャネルの数に少なくとも部分的に基づいて決定され得る。いくつかの例では、コンテンションウィンドウサイズは、異なるサービス優先順位、異なるチャネルタイプ、またはチャネルの数についての事前構成されたコンテンションウィンドウパラメータに少なくとも部分的に基づいて決定され得る。いくつかの例では、ＬＢＴプロシージャについてのコンテンションウィンドウサイズは、最小コンテンションウィンドウサイズに設定され得る。
【００６５】
[0074]  マルチチャネルＣＷ決定コンポーネント７２５は、図２〜図５を参照して説明されたように、共有無線周波数スペクトルバンドの第２のチャネルにアクセスするための第２のＬＢＴプロシージャに対してコンテンションウィンドウサイズを適用し得る。ＣＣＡコンポーネント７３０は、図２〜図５を参照して説明されたように、基地局から１つまたは複数のユーザ装置（ＵＥ）へのダウンリンク送信のための第１のチャネルへのチャネルアクセスを得るために、ＬＢＴプロシージャを実施し得る。ＣＣＡコンポーネント７３０はまた、ユーザ装置（ＵＥ）から受信側基地局へのアップリンク送信のための第１のチャネルへのチャネルアクセスを得るために、ＬＢＴプロシージャを実施し得る。いくつかの例では、ＬＢＴプロシージャを実施することは、第１のチャネルおよび第２のチャネルについて同じＬＢＴプロシージャを実施することを備える。ＣＣＡコンポーネント７３０はまた、各チャネルに対してＬＢＴプロシージャを実施し得る。いくつかの例では、各チャネルに対して実施するためのＬＢＴプロシージャのタイプは、受信側基地局以外の１つまたは複数の基地局の構成に少なくとも部分的に基づいて決定され得る。いくつかの例では、ＬＢＴプロシージャは、各予約されたチャネルに対しては実施されない可能性がある。ＣＣＡコンポーネント７３０はまた、各チャネルに対してＬＢＴプロシージャを実施し得る。
【００６６】
[0075]  図８は、本開示の態様による、共有無線周波数スペクトルバンドのマルチチャネルへの媒体アクセスを管理するための技法をサポートするワイヤレスデバイスのブロック図８００を示す。ブロック図８００は、本開示の態様による、共有無線周波数スペクトルバンドのマルチチャネルへの媒体アクセスを管理するための技法のための、ワイヤレスデバイス６００またはワイヤレスデバイス７００のコンポーネントであり得るＬＢＴコンポーネント８１０を含む。ＬＢＴコンポーネント８１０は、図６および図７を参照して説明されたＬＢＴコンポーネント６１０またはＬＢＴコンポーネント７１０の態様の例であり得る。ＬＢＴコンポーネント８１０は、図７のＣＷサイズコンポーネント７２０の例であり得るＣＷサイズコンポーネント８２０、図２のマルチチャネルＣＷ決定コンポーネント７２５の例であり得るマルチチャネルＣＷ決定コンポーネント８２５、または図７のＣＣＡコンポーネント７３０の例であり得るＣＣＡコンポーネント８３０を含み得る。これらのコンポーネントの各々は、図７を参照して説明された機能を実施し得る。ＬＢＴコンポーネント８１０はまた、サービス優先順位識別コンポーネント８３５、チャネルタイプ識別コンポーネント８４０、チャネル予約決定コンポーネント８４５、およびＬＢＴシグナリングコンポーネント８５０を含み得る。
【００６７】
[0076]  サービス優先順位識別コンポーネント８３５は、チャネルを使用して送信されることになるデータのサービス優先順位を識別するように構成され得、チャネルタイプ識別コンポーネント８４０は、チャネルのチャネルタイプを識別するように構成され得る。図２〜図５を参照して上述したように、いくつかの例では、コンテンションウィンドウサイズを決定することは、第１のチャネルを使用して送信されることになるデータに関するサービス優先順位またはチャネルタイプのうちの１つまたは複数かどうかを決定、または第１のチャネルを使用して送信されることになるデータに関するサービス優先順位またはチャネルタイプのうちの１つまたは複数を識別することを含み得る。サービス優先順位識別コンポーネント８３５およびチャネルタイプ識別コンポーネント８４０はまた、第１のチャネルを使用して送信されることになるデータに関するサービス優先順位またはチャネルタイプのまたはより多くのが、第２のチャネルを使用して送信されることになるデータに関するサービス優先順位またはチャネルタイプとは異なると決定するためにも使用され得る。
【００６８】
[0077]  サービス優先順位識別コンポーネント８３５は、共有無線周波数スペクトルバンドの第２のチャネルが、第１のチャネルに比べてより低いサービス優先順位を有することかどうかを決定するように構成され得る。チャネルタイプ識別コンポーネント８４０は、共有無線周波数スペクトルバンドの第２のチャネルが第１のチャネルに比べてより低い優先順位のチャネルタイプを有するまたはことかどうかを決定するように構成され得る。いくつかの例では、コンテンションウィンドウサイズは、図２〜図５を参照して説明されたように、第１のチャネルおよび第２のチャネルの各々のチャネルタイプまたはサービス優先順位の組合せに少なくとも部分的に基づいて決定され得る。
【００６９】
[0078]  図２〜図５を参照して説明されたように、ＬＢＴシグナリングコンポーネント８５０は、コンテンションウィンドウサイズがアップリンクグラントにおいてユーザ装置（ＵＥ）にシグナリングされ得るように、構成され得る。いくつかの例では、各チャネルに対して実施するためのＬＢＴプロシージャのタイプは、アップリンクグラントにおいてＵＥにシグナリングされ得る。他の例では、ＬＢＴシグナリングコンポーネント８５０は、アップリンク送信について実施するためのＬＢＴプロシージャまたはコンテンションウィンドウサイズの半静的なシグナリングを含む構成情報を提供し得る。
【００７０】
[0079]  チャネル予約決定コンポーネント８４５は、図２〜図５を参照して説明されたように、受信側基地局が第１のチャネルを予約しているかどうか、および少なくとも第２のチャネルが予約されていない可能性があること、を決定するように構成され得る。いくつかの例では、同じタイプのＬＢＴプロシージャが、予約されたチャネルと予約されていないチャネルとの両方のために使用され得る。
【００７１】
[0080]  図９は、本開示の態様による、共有無線周波数スペクトルバンドのマルチチャネルへの媒体アクセスを管理するための技法をサポートするＵＥを含むシステム９００のブロック図を例示する。システム９００は、図１〜図３、図５、または図６〜図８を参照して説明されたワイヤレスデバイス６００、ワイヤレスデバイス７００、またはＵＥ１１５、２１５、２１５−ａ、２１５−ｂ、２１５−ｃ、３１５、または５１５の例であり得るＵＥ９１５を含み得る。ＵＥ９１５は、図６〜図８を参照して説明されたＬＢＴコンポーネント６１０、ＬＢＴコンポーネント７１０、またはＬＢＴコンポーネント８１０の例であり得るＬＢＴコンポーネント９１０を含み得る。ＵＥ９１５はまた、ｅＣＣコンポーネント９２５を含み得る。ＵＥ９１５はまた、通信を送信するためのコンポーネントおよび通信を受信するためのコンポーネントを含む、双方向音声およびデータ通信のためのコンポーネントを含み得る。例えば、ＵＥ９１５は、基地局９０５または他のＵＥと双方向に通信し得る。
【００７２】
[0081]  ｅＣＣコンポーネント９２５は、ＵＥ９１５が、図１または図３〜図５を参照して説明されたｅＣＣを使用して動作することを可能にする。例えば、ＵＥ９１５は、同じ共有無線周波数スペクトルバンド内で２つ以上のＣＣを使用して、共有またはアンライセンススペクトルにおいて動作し得る。
【００７３】
[0082]  ＵＥ９１５はまた、プロセッサ９０６、およびメモリ９１６（ソフトウェア（ＳＷ）を含む）９２０、トランシーバ９３５、および１つまたは複数のアンテナ９４０を含み得、それらの各々は、互いに直接的にまたは間接的に（例えば、バス９４５を介して）通信し得る。トランシーバ９３５は、上述したように、（１つまたは複数の）アンテナ９４０またはワイヤードまたはワイヤレスリンクを介して、１つまたは複数のネットワークと双方向に通信し得る。例えば、トランシーバ９３５は、基地局９０５または別のＵＥと双方向に通信し得る。トランシーバ９３５は、パケットを変調して、変調されたパケットを送信のために（１つまたは複数の）アンテナ９４０に提供するための、および（１つまたは複数の）アンテナ９４０から受信されたパケットを復調するための、モデムを含み得る。ＵＥ９１５は、単一のアンテナ９４０を含み得る一方で、ＵＥ９１５はまた、複数のワイヤレス送信をコンカレントに送信または受信することができるマルチプルなアンテナ９４０を有し得る。
【００７４】
[0083]  メモリ９１６は、ランダムアクセスメモリ（ＲＡＭ）および読み取り専用メモリ（ＲＯＭ）を含み得る。メモリ９１６は、実行されると、プロセッサ９０６に、ここに説明される様々な機能（例えば、共有無線周波数スペクトルバンドのマルチチャネルへの媒体アクセスを管理するための技法等）を実施させる命令を含む、コンピュータ読み取り可能な、コンピュータ実行可能なソフトウェア／ファームウェアコード９２０を記憶し得る。代替的に、ソフトウェア／ファームウェアコード９２０は、プロセッサ９０６によって直接的に実行可能でない可能性があるが、コンピュータに（例えば、コンパイルおよび実行されたときに）、ここに説明された機能を実施させ得る。プロセッサ９０６は、インテリジェントハードウェアデバイス（例えば、セントラルプロセシングユニット（ＣＰＵ）、マイクロコントローラ、特定用途向け集積回路（ＡＳＩＣ）等）を含み得る。
【００７５】
[0084]  図１０は、本開示の態様による、共有無線周波数スペクトルバンドのマルチチャネルへの媒体アクセスを管理するための技法をサポートする基地局を含むシステム１０００のブロック図を例示する。システム１０００は、それぞれ図６〜図８または図１〜図５を参照して説明されたワイヤレスデバイス６００、ワイヤレスデバイス７００、または基地局１０５、２０５、２０５−ａ、３０５−ａ、３０５−ｂ、または５０５の例であり得る基地局１００５を含み得る。基地局１００５は、図６〜図８を参照して説明されたＬＢＴコンポーネント６１０、ＬＢＴコンポーネント７１０、またはＬＢＴコンポーネント８１０の例であり得る基地局ＬＢＴコンポーネント１０１０を含み得る。基地局１００５はまた、通信を送信するためのコンポーネントおよび通信を受信するためのコンポーネントを含む、双方向音声およびデータ通信のためのコンポーネントを含み得る。例えば、基地局１００５は、ＵＥ１０１５と双方向に通信し得る。
【００７６】
[0085]  一部のケースでは、基地局１００５は、１つまたは複数のワイヤードバックホールリンクを有し得る。基地局１００５は、コアネットワーク１３０へのワイヤードバックホールリンク（例えば、Ｓ１インタフェース等）を有し得る。基地局１００５はまた、基地局間バックホールリンク（例えば、Ｘ２インタフェース）を介して基地局１００５−ａおよび基地局１００５−ｂのような他の基地局と通信し得る。基地局１００５の各々は、同じまたは異なるワイヤレス通信技術を使用してＵＥ１０１５と通信し得る。一部のケースでは、基地局１００５は、基地局通信コンポーネント１０２５を利用して、基地局１００５−ａまたは基地局１００５−ｂのような他の基地局と通信し得る。いくつかの例では、基地局通信コンポーネント１０２５は、複数の基地局１００５のうちのいくつかの間で通信を提供するために、ロングタームエボリューション（ＬＴＥ）／ＬＴＥワイヤレス通信ネットワーク技術内のＸ２インタフェースを提供し得る。いくつかの例では、基地局１００５は、コアネットワーク１３０を通して他の基地局と通信し得る。一部のケースでは、基地局１００５は、ネットワーク通信コンポーネント１０３０を通してコアネットワーク１３０と通信し得る。
【００７７】
[0086]  基地局１００５は、プロセッサ１００６、メモリ１０１６（ソフトウェア（ＳＷ）１０２０を含む）、トランシーバ１０３５および（１つまたは複数の）アンテナ１０４０を含み得、それらは各々、互いに直接的にまたは間接的に（例えば、バスシステム１０４５上で）通信している可能性がある。トランシーバ１０３５は、（１つまたは複数の）アンテナ１０４０を介してＵＥ１０１５と双方向に通信するように構成され得、それは、マルチモードデバイスであり得る。トランシーバ１０３５（または基地局１００５の他のコンポーネント）はまた、アンテナ１０４０を介して１つまたは複数の他の基地局（示されていない）と双方向に通信するように構成され得る。トランシーバ１０３５は、パケットを変調して、変調されたパケットを送信のためにアンテナ１０４０に提供するように、およびアンテナ１０４０から受信されたパケットを復調するように構成されるモデムを含み得る。基地局１００５は、各々が１つまたは複数の関連したアンテナ１０４０を有する、複数のトランシーバ１０３５を含み得る。トランシーバは、図６の受信機６０５と送信機６１５とを組み合わせたもの、あるいは、図７の受信機７０５と送信機７１５とを組み合わせたものの例であり得る。
【００７８】
[0087]  メモリ１０１６は、ＲＡＭおよびＲＯＭを含み得る。メモリ１０１６はまた、実行されると、プロセッサ１００６に、ここに説明された様々な機能（例えば、共有無線周波数スペクトルバンドのマルチチャネルへの媒体アクセス、呼処理、データベース管理、メッセージルーティング等を管理するための技法）を実施させるように構成される命令を含む、コンピュータ読み取り可能な、コンピュータ実行可能なソフトウェアコード１０２０を記憶し得る。代替的に、ソフトウェア１０２０は、プロセッサ１００６によって直接的に実行可能でない可能性があるが、例えば、コンパイルおよび実行されたときに、コンピュータに、ここに説明された機能を実施させるように構成され得る。プロセッサ１００６は、インテリジェントハードウェアデバイス、例えば、ＣＰＵ、マイクロコントローラ、ＡＳＩＣ等を含み得る。プロセッサ１００６は、エンコーダ、キュープロセシングモジュール（queue processing modules）、ベースバンドプロセッサ、無線ヘッドコントローラ、デジタルシグナルプロセッサ（ＤＳＰ）等のような、様々な専用プロセッサを含み得る。
【００７９】
[0088]  基地局通信コンポーネント１０２５は、他の基地局１００５−ａおよび基地局１００５−ｂとの通信を管理し得る。一部のケースでは、通信管理コンポーネントは、他の基地局１００５−ａまたは基地局１００５−ｂと連携してＵＥ１０１５との通信を制御するためのコントローラまたはスケジューラを含み得る。例えば、基地局通信コンポーネント１０２５は、ビームフォーミングまたはジョイント送信（joint transmission）のような様々な干渉緩和技法またはＣｏＭＰ（coordinated multipoint）技法に関して、ＵＥ１０１５への送信についてのスケジューリングを調整（coordinate）し得る。
【００８０】
[0089]  ワイヤレスデバイス６００、ワイヤレスデバイス７００、ＬＢＴコンポーネント８１０、ＵＥ９１５または基地局１００５のコンポーネントは、ハードウェア内で適用可能な機能のうちのいくつかまたはすべてを実施するように適合された少なくとも１つのＡＳＩＣを用いて独立してまたは集合的にインプリメントされ得る。代替的に、これら機能は、少なくとも１つのＩＣ上で、１つまたは複数の他の処理ユニット（またはコア）によって実施され得る。他の例では、他のタイプの集積回路が使用され得（例えば、構造化／プラットフォームＡＳＩＣ（Structured/Platform ASICs）、フィールドプログラマブルゲートアレイ（ＦＰＧＡ）、または別のセミカスタムＩＣ）、これらは当該技術分野において知られているいかなる方法によってもプログラムされ得る。各ユニットの機能はまた、全体または部分的に、１つまたは複数の汎用または特定用途向けプロセッサによって実行されるようにフォーマット化された、メモリに統合（embodied in）された命令を用いてインプリメントされ得る。
【００８１】
[0090]  図１１は、本開示の態様による、共有無線周波数スペクトルバンドのマルチチャネルへの媒体アクセスを管理するための技法のための方法を例示する。方法１１００の動作は、図１〜図１０を参照して説明された基地局１０５、２０５、２０５−ａ、３０５−ａ、３０５−ｂ、５０５、または１００５、ＵＥ１１５、２１５、２１５−ａ、２１５−ｂ、２１５−ｃ、３１５、５１５、または９１５、ワイヤレスデバイス６００、ワイヤレスデバイス７００、またはＬＢＴコンポーネント８１０のようなデバイスによってインプリメントされ得る。例えば、方法１１００の動作は、図６〜図１０を参照して説明されたＬＢＴコンポーネント６１０、ＬＢＴコンポーネント７１０、ＬＢＴコンポーネント８１０、ＬＢＴコンポーネント９１０、または基地局ＬＢＴコンポーネント１０１０によって実施され得る。いくつかの例では、基地局１０５、２０５、２０５−ａ、３０５−ａ、３０５−ｂ、５０５、または１００５、ＵＥ１１５、２１５、２１５−ａ、２１５−ｂ、２１５−ｃ、５１５、または９１５、ワイヤレスデバイス６００、ワイヤレスデバイス７００、またはＬＢＴコンポーネント８１０は、以下に説明される機能を実施するために、それぞれのデバイスの機能要素を制御するためのコードのセットを実行し得る。追加的に、または代替的に、以下に説明される態様機能は、専用ハードウェアを使用して実施され得る。
【００８２】
[0091]  ブロック１１０５において、方法は、図２〜図５を参照して説明されたように、共有無線周波数スペクトルバンドの第１のチャネルにアクセスするための第１のリッスンビフォアトーク（ＬＢＴ）プロシージャに関連するコンテンションウィンドウサイズを決定することを含み得る。いくつかの例では、ブロック１１０５の動作は、図７および図８を参照して説明されたＣＷサイズコンポーネント７２０または８２０によって実施され得る。
【００８３】
[0092]  ブロック１１１０において、方法は、図２〜図５を参照して説明されたように、共有無線周波数スペクトルバンドの第２のチャネルにアクセスするための第２のＬＢＴプロシージャに対してコンテンションウィンドウサイズを適用することを含み得る。いくつかの例では、ブロック１１１０の動作は、図７〜図８を参照して説明されたマルチチャネルＣＷ決定コンポーネント７２５または８１０によって実施され得る。
【００８４】
[0093]  ブロック１１１５において、方法は、オプションとして、図２〜図５を参照して説明されたように、第１のチャネルへのチャネルアクセスを得るために、決定されたコンテンションウィンドウサイズを使用して第１のＬＢＴプロシージャを実施することを含み得る。いくつかの例では、ブロック１１１５の動作は、図７および図８を参照して説明されたＣＣＡコンポーネント７３０または８３０によって実施され得る。
【００８５】
[0094]  ブロック１１２０において、方法は、オプションとして、図２〜図５を参照して説明されたように、第２のチャネルへのチャネルアクセスを得るために、決定されたコンテンションウィンドウサイズを使用して第２のＬＢＴプロシージャを実施することを含み得る。いくつかの例では、ブロック１１２０の動作は、図７および図８を参照して説明されたＣＣＡコンポーネント７３０または８３０によって実施され得る。
【００８６】
[0095]  図１２は、本開示の態様による、共有無線周波数スペクトルバンドのマルチチャネルへの媒体アクセスを管理するための技法のための方法１２００を例示する。方法１２００の動作は、図１〜図１０を参照して説明された基地局１０５、２０５、２０５−ａ、３０５−ａ、３０５−ｂ、５０５、または１００５、ＵＥ１１５、２１５、２１５−ａ、２１５−ｂ、２１５−ｃ、５１５、または９１５、ワイヤレスデバイス６００、ワイヤレスデバイス７００、またはＬＢＴコンポーネント８１０のようなデバイスによってインプリメントされ得る。例えば、方法１２００の動作は、図６〜図１０を参照して説明されたＬＢＴコンポーネント６１０、ＬＢＴコンポーネント７１０、ＬＢＴコンポーネント８１０、ＬＢＴコンポーネント９１０、または基地局ＬＢＴコンポーネント１０１０によって実施され得る。いくつかの例では、基地局１０５、２０５、２０５−ａ、３０５−ａ、３０５−ｂ、５０５、または１００５、ＵＥ１１５、２１５、２１５−ａ、２１５−ｂ、２１５−ｃ、３１５、５１５、または９１５、ワイヤレスデバイス６００、ワイヤレスデバイス７００、またはＬＢＴコンポーネント８１０は、以下に説明される機能を実施するために、それぞれのデバイスの機能要素を制御するためのコードのセットを実行し得る。追加的に、または代替的に、以下に説明される態様機能は、専用ハードウェアを使用して実施され得る。方法１２００はまた、図１１の方法１１００の態様を組み込み得る。
【００８７】
[0096]  ブロック１２０５において、方法は、図２〜図５を参照して説明されたように、第１のチャネルを使用して送信されることになるデータに関するサービス優先順位またはチャネルタイプのうちの１つまたは複数かどうかを決定することを含み得る。いくつかの例では、図８を参照して説明されたように、ブロック１２０５の動作は、サービス優先順位識別コンポーネント８３５によって実施され得るか、チャネルタイプ識別コンポーネント８４０によって実施され得るか、またはそれらの組合せであり得る。
【００８８】
[0097]  ブロック１２１０において、方法は、図２〜図５を参照して説明されたように、識別された１つまたは複数のサービス優先順位またはチャネルタイプに少なくとも部分的に基づいて、コンテンションウィンドウサイズを決定することを含み得る。いくつかの例では、ブロック１２１０の動作は、図７および図８を参照して説明されたＣＷサイズコンポーネント７２０または８２０によって実施され得る。
【００８９】
[0098]  ブロック１２１５において、方法は、図２〜図５を参照して説明されたように、共有無線周波数スペクトルバンドの第２のチャネルにアクセスするための第２のＬＢＴプロシージャに対してコンテンションウィンドウサイズを適用することを含み得る。いくつかの例では、ブロック１２１５の動作は、図７および図８を参照して説明されたマルチチャネルＣＷ決定コンポーネント７２５または８１０によって実施され得る。
【００９０】
[0099]  図１３は、本開示の態様による、共有無線周波数スペクトルバンドのマルチチャネルへの媒体アクセスを管理するための技法のための方法１３００を例示する。方法１３００の動作は、図１〜図１０を参照して説明された基地局１０５、２０５、２０５−ａ、３０５−ａ、３０５−ｂ、５０５、または１００５、ＵＥ１１５、２１５、２１５−ａ、２１５−ｂ、２１５−ｃ、３１５、５１５、または９１５、ワイヤレスデバイス６００、７００、またはＬＢＴコンポーネント８１０のようなデバイスによってインプリメントされ得る。例えば、方法１３００の動作は、図６〜図１０を参照して説明されたＬＢＴコンポーネント６１０、ＬＢＴコンポーネント７１０、ＬＢＴコンポーネント８１０、ＬＢＴコンポーネント９１０、または基地局ＬＢＴコンポーネント１０１０によって実施され得る。いくつかの例では、基地局１０５、２０５、２０５−ａ、３０５−ａ、３０５−ｂ、５０５、または１００５、ＵＥ１１５、２１５、２１５−ａ、２１５−ｂ、２１５−ｃ、３１５、５１５、または９１５、ワイヤレスデバイス６００、ワイヤレスデバイス７００、またはＬＢＴコンポーネント８１０は、以下に説明される機能を実施するために、それぞれのデバイスの機能要素を制御するためのコードのセットを実行し得る。追加的に、または代替的に、以下に説明される態様機能は、専用ハードウェアを使用して実施され得る。方法１３００はまた、図１１および図１２の方法１１００および１２００の態様を組み込み得る。
【００９１】
[0100]  ブロック１３０５において、方法は、図２〜図５を参照して説明されたように、第１のチャネルおよび第２のチャネルを使用して送信されることになるデータに関するサービス優先順位またはチャネルタイプのうちの１つまたは複数かどうかを決定することを含み得る。いくつかの例では、ブロック１３０５の動作は、図８を参照して説明されたように、サービス優先順位識別コンポーネント８３５によって実施され得るか、チャネルタイプ識別コンポーネント８４０によって実施され得るか、またはそれらの組合せであり得る。
【００９２】
[0101]  ブロック１３１０において、方法は、図２〜図５を参照して説明されたように、ＬＢＴプロシージャがそれに対して実施されることになる共有無線周波数スペクトルバンドにおける利用可能なチャネルの数に少なくとも部分的に基づいて、コンテンションウィンドウサイズを決定することを含み得る。いくつかの例では、ブロック１３１０の動作は、図７および図８を参照して説明されたＣＷサイズコンポーネント７２０または８２０によって実施され得る。
【００９３】
[0102]  ブロック１３１５において、方法は、図２〜図５を参照して説明されたように、第１のチャネルおよび第２のチャネルにアクセスするためのＬＢＴプロシージャに対してコンテンションウィンドウサイズを適用することを含み得る。いくつかの例では、ブロック１３１５の動作は、図７および図８を参照して説明されたマルチチャネルＣＷ決定コンポーネント７２５または８１０によって実施され得る。
【００９４】
[0103]  図１４は、本開示の態様による、共有無線周波数スペクトルバンドのマルチチャネルへの媒体アクセスを管理するための技法のための方法１４００を例示する。方法１４００の動作は、図１〜図１０を参照して説明された基地局１０５、２０５、２０５−ａ、３０５−ａ、３０５−ｂ、５０５、または１００５、ＵＥ１１５、２１５、２１５−ａ、２１５−ｂ、２１５−ｃ、３１５、５１５、または９１５、ワイヤレスデバイス６００、ワイヤレスデバイス７００、またはＬＢＴコンポーネント８１０のようなデバイスによってインプリメントされ得る。例えば、方法１４００の動作は、図６〜図１０を参照して説明されたＬＢＴコンポーネント６１０、ＬＢＴコンポーネント７１０、ＬＢＴコンポーネント８１０、ＬＢＴコンポーネント９１０、または基地局ＬＢＴコンポーネント１０１０によって実施され得る。いくつかの例では、基地局１０５、２０５、２０５−ａ、３０５−ａ、３０５−ｂ、５０５、または１００５、ＵＥ１１５、２１５、２１５−ａ、２１５−ｂ、２１５−ｃ、３１５、５１５、または９１５、ワイヤレスデバイス６００、ワイヤレスデバイス７００、またはＬＢＴコンポーネント８１０は、以下に説明される機能を実施するために、それぞれのデバイスの機能要素を制御するためのコードのセットを実行し得る。追加的に、または代替的に、以下に説明される態様機能は、専用ハードウェアを使用して実施され得る。方法１４００はまた、図１１〜図１３の方法１１００、１２００、および１３００の態様を組み込み得る。
【００９５】
[0104]  ブロック１４０５において、方法は、図２〜図５を参照して説明されたように、共有無線周波数スペクトルバンドの第１のチャネルにアクセスするための第１のリッスンビフォアトーク（ＬＢＴ）プロシージャに関連するコンテンションウィンドウサイズを決定することを含み得る。いくつかの例では、ブロック１４０５の動作は、図７および図８を参照して説明されたＣＷサイズコンポーネント７２０または８２０によって実施され得る。
【００９６】
[0105]  ブロック１４１０において、方法は、図２〜図５を参照して説明されたように、共有無線周波数スペクトルバンドの第２のチャネルにアクセスするための第２のＬＢＴプロシージャに対してコンテンションウィンドウサイズを適用することを含み得る。いくつかの例では、ブロック１４１０の動作は、図７および図８を参照して説明されたマルチチャネルＣＷ決定コンポーネント７２５、８２５によって実施され得る。
【００９７】
[0106]  ブロック１４１５において、方法は、図２〜図５を参照して説明されたように、受信側基地局が第１のチャネルのうちの１つまたは複数を予約しており、かつ第２のチャネルが予約されていないこと、を決定することを含み得る。いくつかの例では、ブロック１４１５の動作は、図８を参照して説明されたように、チャネル予約決定コンポーネント８４５によって実施され得る。
【００９８】
[0107]  ブロック１４２０において、方法は、図２〜図５を参照して説明されたように、第１のチャネルおよび第２のチャネルへのチャネルアクセスを得るために、同じＬＢＴプロシージャを実施することを含み得る。いくつかの例では、ブロック１４２０の動作は、図７および図８を参照して説明されたＣＣＡコンポーネント７３０または８３０によって実施され得る。
【００９９】
[0108]  このように、方法１１００、１２００、１３００、および１４００は、共有無線周波数スペクトルバンドのマルチチャネルへの媒体アクセスを管理するための技法を提供し得る。方法１１００、１２００、１３００、および１４００は可能性のあるインプリメンテーションを説明していること、ならびに動作およびステップは他のインプリメンテーションが可能であるように再配置またはさもなければ修正され得ること、に留意されたい。いくつかの例では、方法１１００、１２００、１３００、および１４００のうちの２つ以上からの態様は、組み合わせられ得る。
【０１００】
[0109]  本明細書における説明は、例を提供するものであり、特許請求の範囲に記載される範囲、適用可能性、または例を限定するものではない。本開示の範囲から逸脱することなく、説明された要素の配置および機能に変更が成され得る。様々な例は、必要に応じて様々なプロシージャまたはコンポーネントを省略、代用、または追加し得る。また、いくつかの例に関して説明される特徴は、他の例では組み合わせられ得る。
【０１０１】
[0110]  ここに説明される技法は、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、単一キャリア周波数分割多元接続（ＳＣ−ＦＤＭＡ）、および他のシステムのような様々なワイヤレス通信システムのために使用され得る。「システム」および「ネットワーク」という用語は、しばしば交換可能に使用される。符号分割多元接続（ＣＤＭＡ）システムは、ＣＤＭＡ２０００、ユニバーサル地上波無線アクセス（ＵＴＲＡ）等のような無線技術をインプリメントし得る。ＣＤＭＡ２０００は、ＩＳ−２０００、ＩＳ−９５、ＩＳ−８５６規格をカバーする。ＩＳ−２０００リリース０およびＡは、通常ＣＤＭＡ２０００  １Ｘ、１Ｘ等と称される。ＩＳ−８５６（ＴＩＡ−８５６）は、通常ＣＤＭＡ２０００  １ｘＥＶ−ＤＯ、高レートパケットデータ（ＨＲＰＤ）等と称される。ＵＴＲＡは、ワイドバンドＣＤＭＡ（ＷＣＤＭＡ（登録商標））およびＣＤＭＡの他の変形を含む。時分割多元接続（ＴＤＭＡ）システムは、移動通信のためのグローバルシステム（ＧＳＭ（登録商標））のような無線技術をインプリメントし得る。直交周波数分割多元接続（ＯＦＤＭＡ）システムは、ウルトラモバイルブロードバンド（ＵＭＢ）、発展型ＵＴＲＡ（Ｅ−ＵＴＲＡ）、ＩＥＥＥ  ８０２．１１（Ｗｉ−Ｆｉ）、ＩＥＥＥ８０２．１６（ＷｉＭＡＸ）、ＩＥＥＥ８０２．２０、フラッシュＯＦＤＭ等のような無線技術をインプリメントし得る。ＵＴＲＡおよびＥ−ＵＴＲＡは、ユニバーサルモバイル電気通信システム（ＵＭＴＳ）の一部である。３ＧＰＰロングタームエボリューション（ＬＴＥ）およびＬＴＥアドバンスト（ＬＴＥ）は、Ｅ−ＵＴＲＡを使用するユニバーサルモバイル電気通信システム（ＵＭＴＳ）の新しいリリースである。ＵＴＲＡ、Ｅ−ＵＴＲＡ、ユニバーサルモバイル電気通信システム（ＵＭＴＳ）、ＬＴＥ、ＬＴＥ、および移動通信のためのグローバルシステム（ＧＳＭ）は、「第３世代パートナーシッププロジェクト」（３ＧＰＰ）と名付けられた組織からの文書に説明されている。ＣＤＭＡ２０００およびＵＭＢは、「第３世代パートナーシッププロジェクト２」（３ＧＰＰ２）と名付けられた組織からの文書に説明されている。ここに説明された技法は、上述されたシステムおよび無線技術、ならびに他のシステムおよび無線技術のために使用され得る。それらの技法はＬＴＥアプリケーションを超えて適用可能であるのだが、しかしながら本明細書における説明は、例示の目的でＬＴＥシステムを説明しており、上述の説明の大部分でＬＴＥ用語が使用されている。
【０１０２】
[0111]  ここに説明されるそのようなネットワークを含むＬＴＥ／ＬＴＥネットワークでは、発展型ノードＢ（ｅＮＢ）という用語は、基地局を説明するために使用され得る。ここに説明されるワイヤレス通信システム（１つまたは複数）は、異なるタイプの発展型ノードＢ（ｅＮＢ）が様々な地理的領域にカバレッジを提供する異種のＬＴＥ／ＬＴＥネットワークを含み得る。例えば、各ｅＮＢまたは基地局は、マクロセル、スモールセル、または他のタイプのセルに通信カバレッジを提供し得る。「セル」という用語は、文脈に応じて、基地局、基地局に関連するキャリアまたはコンポーネントキャリア、あるいは基地局またはキャリアのカバレッジエリア（例えば、セクタ等）を説明するために使用されることができる３ＧＰＰ用語である。
【０１０３】
[0112]  基地局は、当業者によって、トランシーバ基地局、無線基地局、アクセスポイント、無線トランシーバ、ノードＢ、ｅノードＢ（ｅＮＢ）、ホームノードＢ、ホームｅノードＢ、または何らかの他の適切な用語で呼ばれ得るか、またはそれらを含み得る。基地局の地理的なカバレッジエリアは、カバレッジエリアの一部のみを構成するセクタに分割され得る。ここに説明されるワイヤレス通信システム（１つまたは複数）は、異なるタイプの基地局１０５（例えば、マクロまたはスモールセル基地局）を含み得る。ここに説明されるＵＥは、マクロｅＮＢ、スモールセルｅＮＢ、リレイ基地局等を含む様々なタイプの基地局およびネットワーク装置と通信することが可能であり得る。異なる技術について重複している地理的なカバレッジエリアが存在し得る。
【０１０４】
[0113]  マクロセルは、比較的広い地理的エリア（例えば、半径数キロメートル）をカバーし得、ネットワークプロバイダにサービス加入しているＵＥによる無制限のアクセスを可能にし得る。スモールセルは、マクロセルと同じまたは異なる（例えば、ライセンス、アンライセンス等の）無線周波数スペクトルバンドで動作し得る、マクロセルと比較してより低い電力の基地局である。スモールセルは、様々な例に従って、ピコセル、フェムトセル、およびマイクロセルを含み得る。例えば、ピコセルは、狭い地理的エリアをカバーし得、ネットワークプロバイダにサービス加入しているＵＥによる無制限のアクセスを可能にし得る。フェムトセルもまた、狭い地理的エリア（例えば、住居）をカバーし得、フェムトセルと関連のあるＵＥ（例えば、クローズド加入者グループ（ＣＳＧ）内のＵＥ、住居の中にいるユーザのためのＵＥ等）による制限付きのアクセスを提供し得る。マクロセルのためのｅＮＢはマクロｅＮＢと称され得る。スモールセルのためのｅＮＢは、スモールセルｅＮＢ、ピコｅＮＢ、フェムトｅＮＢ、またはホームｅＮＢと称され得る。ｅＮＢは、１つのまたは複数（例えば、２つ、３つ、４つ等）のセル（例えば、コンポーネントキャリア）をサポートし得る。ＵＥは、マクロｅＮＢ、スモールセルｅＮＢ、リレイ基地局等を含む様々なタイプの基地局およびネットワーク装置と通信することが可能であり得る。
【０１０５】
[0114]  ここに説明されるワイヤレス通信システム（１つまたは複数）は、同期または非同期動作をサポートし得る。同期動作の場合、複数の基地局は、同様のフレームタイミングを有し得、異なる基地局からの送信は、時間的にほぼアラインされ得る。非同期動作の場合、複数の基地局は、異なるフレームタイミングを有し得、異なる基地局からの送信は、時間的にアラインされない可能性がある。ここに説明される技法は、同期動作または非同期動作のいずれにも使用され得る。
【０１０６】
[0115]  ここに説明されるダウンリンク送信はまた、フォワードリンク送信とも呼ばれ得、一方でアップリンク送信はまた、リバースリンク送信とも呼ばれ得る。例えば、図１および図２のワイヤレス通信システム１００およびワイヤレス通信サブシステム２００を含むここに説明された各通信リンクは、１つまたは複数のキャリアを含み得、ここで各キャリアは、複数のサブキャリア（例えば、異なる周波数の波形信号）から成る信号であり得る。各変調信号は、異なるサブキャリア上で送られ得、制御情報（例えば、基準信号、制御チャネル等）、オーバヘッド情報、ユーザデータ等を搬送し得る。ここに説明される通信リンク（例えば、図１の通信リンク１２５）は、（例えば、ペアのスペクトルリソースを使用した）周波数分割複信（ＦＤＤ）、または（例えば、ペアになっていないスペクトルリソースを使用した）時分割複信（ＴＤＤ）動作を使用して、双方向通信を送信し得る。周波数分割複信（ＦＤＤ）のためのフレーム構造（例えば、フレーム構造タイプ１）およびＴＤＤのためのフレーム構造（例えば、フレーム構造タイプ２）が定義され得る。
【０１０７】
[0116]  添付の図面に関連してここに述べられた説明は、例示的な構成を説明しており、インプリメントされ得るまたは特許請求の範囲の範囲（the scope）内にあるすべての例を表すわけではない。ここで使用された「例となる（exemplary）」という用語は、「例、事例、または例示としての役割を果たす」ことを意味し、「より好ましい」または「他の例よりも有利である」ことを意味しない。詳細な説明は、説明された技法の理解を提供することを目的として特定の詳細を含む。しかしながら、これらの技法は、これらの特定の詳細なしに実施され得る。いくつかの事例では、周知の構造およびデバイスは、説明された例の概念を不明瞭にすることを避けるために、ブロック図の形式で示される。
【０１０８】
[0117]  添付の図面では、同様のコンポーネントまたは特徴は、同じ参照ラベルを有し得る。さらに、同じタイプの様々なコンポーネントは、参照ラベルの後にダッシュと同様のコンポーネント同士を区別する第２のラベルとを続けることによって、区別され得る。明細書において単に第１の参照ラベルだけが使用される場合、その説明は、第２の参照ラベルに関係なく、同じ第１の参照ラベルを有する同様のコンポーネントのうちのいずれのものにも適用可能である。
【０１０９】
[0118]  ここに説明された情報および信号は、多様な異なる技術および技法のうちのいずれを使用しても表され得る。例えば、上の説明を通して言及された可能性のあるデータ、命令、コマンド、情報、信号、ビット、シンボルおよびチップは、電圧、電流、電磁波、磁場または磁性粒子、光場または光粒子、あるいはそれらのいかなる組合せによっても表され得る。
【０１１０】
[0119]  本明細書における開示に関連して説明された様々な例示的なブロックおよびモジュールは、汎用プロセッサ、ＤＳＰ、ＡＳＩＣ、ＦＰＧＡまたは他のプログラマブル論理デバイス、ディスクリートゲートまたはトランジスタ論理、ディスクリートハードウェアコンポーネント、あるいはここに説明された機能を実施するように設計されたそれらの任意の組合せを用いてインプリメントまたは実施され得る。汎用プロセッサは、マイクロプロセッサであり得るが、別の方法では、プロセッサはいかなる従来のプロセッサ、コントローラ、マイクロコントローラ、またはステートマシンでもあり得る。プロセッサはまた、コンピューティングデバイスの組合せ（例えば、デジタルシグナルプロセッサ（ＤＳＰ）と１つのマイクロプロセッサ、複数のマイクロプロセッサ、ＤＳＰコアと連携した１つまたは複数のマイクロプロセッサ、または任意の他のそのような構成の組合せ）としてインプリメントされ得る。
【０１１１】
[0120]  ここで説明された機能は、ハードウェア、プロセッサによって実行されるソフトウェア、ファームウェア、またはそれらの任意の組合せでインプリメントされ得る。プロセッサによって実行されるソフトウェアでインプリメントされる場合、それら機能は、コンピュータ読み取り可能な媒体上の１つまたは複数の命令またはコードとして記憶または送信され得る。他の例およびインプリメンテーションが、添付の特許請求の範囲および本開示の範囲内にある。例えば、ソフトウェアの性質が原因で、上述した機能は、プロセッサによって実行されるソフトウェア、ハードウェア、ファームウェア、ハードワイヤリング、またはこれらの任意のものの組合せを使用して、インプリメントされることができる。機能をインプリメントする特徴はまた、機能の一部が異なる物理的ロケーションにおいてインプリメントされるように分配された状態を含む、様々な位置に物理的に配置され得る。また、請求項を含め、ここで使用される場合、項目のリスト（例えば、「のうちの少なくとも１つ」または「のうちの１つまたは複数」のような表現が付される項目のリスト）で使用される「または」は、例えば、Ａ、ＢまたはＣのうちの少なくとも１つというリストが、ＡまたはＢまたはＣまたはＡＢまたはＡＣまたはＢＣまたはＡＢＣ（すなわち、ＡおよびＢおよびＣ）を意味するように、包括的なリスト（inclusive list）を示す。
【０１１２】
[0121]  コンピュータ読み取り可能な媒体は、１つの場所から別の場所へのコンピュータプログラムの転送を容易にする任意の媒体を含む、非一時的なコンピュータ記憶媒体と通信媒体との両方を含む。非一時的な記憶媒体は、汎用または専用コンピュータによってアクセスされることができる任意の利用可能な媒体であり得る。限定ではなく例として、非一時的なコンピュータ読み取り可能な媒体は、ＲＡＭ、ＲＯＭ、電気的に消去可能なプログラム可能な読み取り専用メモリ（ＥＥＰＲＯＭ（登録商標））、コンパクトディスク（ＣＤ）ＲＯＭまたは他の光ディスク記憶装置、磁気ディスク記憶装置または他の磁気記憶デバイス、あるいは命令またはデータ構造の形式で所望のプログラムコード手段を搬送または記憶するために使用されることができる、および、汎用または専用コンピュータあるいは汎用または専用プロセッサによってアクセスされることができる、いかなる他の非一時的な媒体も、含むことができる。また、いかなる接続も、コンピュータ読み取り可能な媒体と適切に称される。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他の遠隔ソースから送信される場合、同軸ケーブル、光ファイバーケーブル、ツイストペア、デジタル加入者回線（ＤＳＬ）、または赤外線、無線、およびマイクロ波のようなワイヤレス技術は、媒体の定義に含まれる。本明細書で使用される場合、ディスク（disk）およびディスク（disc）は、ＣＤ、レーザーディスク（登録商標）（disc）、光ディスク（disc）、デジタル多目的ディスク（disc）（ＤＶＤ）、フロッピー（登録商標）ディスク（disk）およびＢｌｕ−ｒａｙ（登録商標）ディスク（disc）を含み、ここで、ディスク（disks）は、通常磁気的にデータを再生し、一方ディスク（discs）は、レーザーを用いて光学的にデータを再生する。上記の組合せもまた、コンピュータ読み取り可能な媒体の範囲内に含まれる。
【０１１３】
[0122]  本明細書における説明は、当業者が本開示を製造するまたは使用することを可能にするために提供されている。本開示への様々な修正は、当業者にとって容易に明らかとなり、ここに定義された一般的な原理は、本開示の範囲から逸脱することなく、他のバリエーションにも適用され得る。したがって、本開示は、ここに説明された例および設計に限定されるべきではなく、ここに開示された原理および新規な特徴と一致する最も広い範囲を与えられるべきである。
以下に、本願の出願当初の特許請求の範囲に記載された発明を付記する。
［Ｃ１］
ワイヤレス通信のための方法であって、
共有無線周波数スペクトルバンドの第１のチャネルにアクセスするための第１のリッスンビフォアトーク（ＬＢＴ）プロシージャに関連するコンテンションウィンドウサイズを決定することと、
前記共有無線周波数スペクトルバンドの第２のチャネルにアクセスするための第２のＬＢＴプロシージャに対して前記コンテンションウィンドウサイズを適用することと、
を備える、方法。
［Ｃ２］
前記コンテンションウィンドウサイズを決定することは、
データに関するサービス優先順位またはチャネルタイプのうちの１つまたは複数が、前記第１のチャネルを使用して送信されることになるかどうかを決定すること
を備え、
前記方法は、前記サービス優先順位または前記チャネルタイプのうちの１つまたは複数が、前記第１のチャネルを使用して送信されることになると決定することに少なくとも部分的に基づいて、前記コンテンションウィンドウサイズを決定することをさらに備える、  Ｃ１に記載の方法。
［Ｃ３］
前記コンテンションウィンドウサイズは、より低いサービス優先順位を有するデータについてよりも、より高いサービス優先順位を有するデータについて、より短くなるように決定される、Ｃ２に記載の方法。
［Ｃ４］
前記コンテンションウィンドウサイズは、共有チャネルを使用して送信されるデータについてよりも、制御チャネルを使用して送信されることになるデータについて、より短くなるように決定される、Ｃ２に記載の方法。
［Ｃ５］
前記コンテンションウィンドウサイズは、チャネルコンディション情報なしの共有チャネルデータについてよりも、チャネルコンディション情報を含む共有チャネルデータについて、より短くなるように決定される、Ｃ４に記載の方法。
［Ｃ６］
前記第１のチャネルを使用して送信されることになるデータに関する前記サービス優先順位または前記チャネルタイプのまたはより多くは、前記第２のチャネルを使用して送信されることになるデータに関する前記サービス優先順位または前記チャネルタイプとは異なると決定すること
をさらに備える、Ｃ２に記載の方法。
［Ｃ７］
前記共有無線周波数スペクトルバンドの前記第２のチャネルは、前記第１のチャネルに比べて、より低いサービス優先順位またはより低い優先順位のうちの１つまたは複数を有し、ここにおいて、前記コンテンションウィンドウサイズは、前記第１のチャネルおよび前記第２のチャネルの各々の前記サービス優先順位または前記チャネルタイプの組合せに少なくとも部分的に基づいて決定される、Ｃ２に記載の方法。
［Ｃ８］
前記コンテンションウィンドウサイズは、ＬＢＴプロシージャがそれに対して実施されることになる前記共有無線周波数スペクトルバンドにおける利用可能なチャネルの数に少なくとも部分的に基づいて決定される、Ｃ７に記載の方法。
［Ｃ９］
前記コンテンションウィンドウサイズは、異なるサービス優先順位、異なるチャネルタイプ、またはチャネルの数についての事前構成されたコンテンションウィンドウパラメータに少なくとも部分的に基づいて決定される、Ｃ７に記載の方法。
［Ｃ１０］
前記コンテンションウィンドウサイズは、アップリンクグラントにおいてユーザ装置（ＵＥ）にシグナリングされる、Ｃ７に記載の方法。
［Ｃ１１］
基地局から１つまたは複数のユーザ装置（ＵＥ）へのダウンリンク送信のための前記第１のチャネルへのチャネルアクセスを得るために、前記第１のＬＢＴプロシージャを実施すること
をさらに備える、Ｃ１に記載の方法。
［Ｃ１２］
ユーザ装置（ＵＥ）から受信側基地局へのアップリンク送信のための前記第１のチャネルへのチャネルアクセスを得るために、前記第１のＬＢＴプロシージャを実施すること  をさらに備える、Ｃ１に記載の方法。
［Ｃ１３］
前記第１のＬＢＴプロシージャを前記実施することは、前記第１のチャネルおよび前記第２のチャネルについて同じＬＢＴプロシージャを実施することを備える、Ｃ１２に記載の方法。
［Ｃ１４］
前記第１のＬＢＴプロシージャを実施することは、
前記受信側基地局が前記第１のチャネルを予約していること、および少なくとも前記第２のチャネルは予約されていないことを決定すること
を備え、
前記方法は、前記第２のチャネルに対して前記第２のＬＢＴプロシージャを実施することをさらに備える、
Ｃ１２に記載の方法。
［Ｃ１５］
前記第１のチャネルおよび前記第２のチャネルに対して実施するべきＬＢＴプロシージャのタイプは、アップリンクグラントにおいて前記ＵＥにシグナリングされる、Ｃ１４に記載の方法。
［Ｃ１６］
前記第１のチャネルおよび前記第２のチャネルに対して実施するべきＬＢＴプロシージャのタイプは、前記受信側基地局以外の１つまたは複数の基地局の構成に基づいて決定される、Ｃ１４に記載の方法。
［Ｃ１７］
ＬＢＴプロシージャは、各予約されたチャネルに対しては実施されない、Ｃ１４に記載の方法。
［Ｃ１８］
前記第１のＬＢＴプロシージャを実施することは、
前記受信側基地局が前記第１のチャネルおよび前記第２のチャネルを予約していることを決定すること
を備え、
前記方法は、前記第２のチャネルに対して前記第２のＬＢＴプロシージャを実施することをさらに備える、
Ｃ１２に記載の方法。
［Ｃ１９］
前記第１のＬＢＴプロシージャについての前記コンテンションウィンドウサイズが、最小コンテンションウィンドウサイズに設定される、Ｃ１８に記載の方法。
［Ｃ２０］
ワイヤレス通信のための装置であって、
プロセッサと、
前記プロセッサと電子通信しているメモリと、
を備え、
前記プロセッサおよびメモリは、
共有無線周波数スペクトルバンドの第１のチャネルにアクセスするための第１のリッスンビフォアトーク（ＬＢＴ）プロシージャに関連するコンテンションウィンドウサイズを決定することと、
前記共有無線周波数スペクトルバンドの第２のチャネルにアクセスするための第２のＬＢＴプロシージャに対して前記コンテンションウィンドウサイズを適用することと、  を行うように構成される、
装置。
［Ｃ２１］
ワイヤレス通信のための装置であって、
共有無線周波数スペクトルバンドの第１のチャネルにアクセスするための第１のリッスンビフォアトーク（ＬＢＴ）プロシージャに関連するコンテンションウィンドウサイズを決定するための手段と、
前記共有無線周波数スペクトルバンドの第２のチャネルにアクセスするための第２のＬＢＴプロシージャに対して前記コンテンションウィンドウサイズを適用するための手段と、
を備える、装置。
［Ｃ２２］
データに関するサービス優先順位またはチャネルタイプのうちの１つまたは複数が、前記第１のチャネルを使用して送信されることになるかどうかを決定するための手段と、  １つまたは複数の前記サービス優先順位または前記チャネルタイプが、前記第１のチャネルを使用して送信されることになると決定することに少なくとも部分的に基づいて、前記コンテンションウィンドウサイズを決定するための手段と、
をさらに備える、Ｃ２１に記載の装置。
［Ｃ２３］
前記第１のチャネルを使用して送信されることになるデータに関する前記サービス優先順位または前記チャネルタイプのうちの１つまたは複数は、前記第２のチャネルを使用して送信されることになるデータに関する前記サービス優先順位または前記チャネルタイプとは異なる、Ｃ２２に記載の装置。
［Ｃ２４］
前記共有無線周波数スペクトルバンドの前記第２のチャネルは、前記第１のチャネルに比べて、より低いサービス優先順位またはより低い優先順位のチャネルタイプのうちの１つまたは複数を有し、ここにおいて、前記コンテンションウィンドウサイズは、前記第１のチャネルおよび前記第２のチャネルの各々の前記サービス優先順位または前記チャネルタイプの組合せに少なくとも部分的に基づいて決定される、Ｃ２２に記載の装置。
［Ｃ２５］
前記コンテンションウィンドウサイズは、ＬＢＴプロシージャがそれに対して実施されることになる前記共有無線周波数スペクトルバンドにおける利用可能なチャネルの数に少なくとも部分的に基づいて決定される、Ｃ２４に記載の装置。
［Ｃ２６］
前記コンテンションウィンドウサイズは、異なるサービス優先順位、異なるチャネルタイプ、またはチャネルの数についての事前構成されたコンテンションウィンドウパラメータに少なくとも部分的に基づいて決定される、Ｃ２４に記載の装置。
［Ｃ２７］
前記コンテンションウィンドウサイズは、アップリンクグラントにおいてユーザ装置（ＵＥ）にシグナリングされる、Ｃ２４に記載の装置。
［Ｃ２８］
基地局から１つまたは複数のユーザ装置（ＵＥ）へのダウンリンク送信のための前記第１のチャネルへのチャネルアクセスを得るために、前記第１のＬＢＴプロシージャを実施するための手段
をさらに備える、Ｃ２１に記載の装置。
［Ｃ２９］
ユーザ装置（ＵＥ）から受信側基地局へのアップリンク送信のための前記第１のチャネルへのチャネルアクセスを得るために、前記第１のＬＢＴプロシージャを実施するための手段
をさらに備える、Ｃ２１に記載の装置。
［Ｃ３０］
ワイヤレス通信のためのコードを記憶する非一時的なコンピュータ読み取り可能な媒体であって、前記コードは、少なくともプロセッサ上で、
共有無線周波数スペクトルバンドの第１のチャネルにアクセスするための第１のリッスンビフォアトーク（ＬＢＴ）プロシージャに関連するコンテンションウィンドウサイズを決定することと、
前記共有無線周波数スペクトルバンドの第２のチャネルにアクセスするための第２のＬＢＴプロシージャに対して前記コンテンションウィンドウサイズを適用することと、
を行わせるためのものである、非一時的なコンピュータ読み取り可能な媒体。
【図１】
0006487069.tif 000002
【図２】
0006487069.tif 000003
【図３】
0006487069.tif 000004
【図４】
0006487069.tif 000005
【図５】
0006487069.tif 000006
【図６】
0006487069.tif 000007
【図７】
0006487069.tif 000008
【図８】
0006487069.tif 000009
【図９】
0006487069.tif 000010
【図１０】
0006487069.tif 000011
【図１１】
0006487069.tif 000012
【図１２】
0006487069.tif 000013
【図１３】
0006487069.tif 000014
【図１４】
0006487069.tif 000015